(57)【要約】  チャネル情報報告方法および装置ならびにシステムが、リンクの適応的性能を向上させるために用いられる。第１のデバイスは、第２のデバイスから参照信号を受信するよう構成される受信モジュールと、参照信号に基づき、チャネル推定を実行してチャネル行列を取得し、チャネル行列を分解して未量子化プリコーディング行列を取得し、未量子化プリコーディング行列を記述するために用いられるチャネル情報を生成するよう構成される処理モジュールと、未量子化プリコーディング行列を記述するために用いられるチャネル情報を第２のデバイスへ送信するよう構成される送信モジュールとを備える。第２のデバイスは、未量子化プリコーディング行列を記述するために用いられるチャネル情報を送信する。従って、量子化誤差が回避され、これにより、第１のデバイスにより取得されたプリコーディング行列がより正確となり、それにより、リンクの適応的性能が効果的に向上する。
2019510415.tif 000002
【特許請求の範囲】
【請求項１】
第２のデバイスから参照信号を受信するよう構成される受信モジュールと、
前記参照信号に基づき、チャネル推定を実行してチャネル行列を取得し、前記チャネル行列を分解して未量子化プリコーディング行列を取得し、かつ、前記未量子化プリコーディング行列を記述するために用いられるチャネル情報を生成するよう構成される処理モジュールと、
前記未量子化プリコーディング行列を記述するために用いられる前記チャネル情報を、前記第２のデバイスへ送信するよう構成される送信モジュールと
を備える
第１のデバイス。
【請求項２】
前記処理モジュールは具体的に、
前記チャネル行列に対して特異値分解ＳＶＤを実行し、前記分解の後の対角行列および前記チャネル行列の固有ベクトルからなる行列を取得し、
前記対角行列に基づき、前記チャネル行列のランクを決定し、
前記ダウンリンクチャネル行列の前記ランクに基づき、前記チャネル行列の前記固有ベクトルからなる前記行列を変換し、前記未量子化プリコーディング行列を取得する
よう構成され、
前記未量子化プリコーディング行列の列数は、前記チャネル行列の前記ランクに等しい、
請求項１に記載の第１のデバイス。
【請求項３】
前記処理モジュールは具体的に、
前記未量子化プリコーディング行列における各要素の振幅情報および位相情報を、前記未量子化プリコーディング行列を記述するために用いられる前記チャネル情報として用いるよう構成される、
請求項２に記載の第１のデバイス。
【請求項４】
前記送信モジュールは具体的に、
前記未量子化プリコーディング行列における各要素の前記振幅情報および前記位相情報のそれぞれを、ＺＣシーケンスに追加し、前記ＺＣシーケンスを前記第２のデバイスへ送信するよう構成される、
請求項３に記載の第１のデバイス。
【請求項５】
前記送信モジュールは具体的に、
前記未量子化プリコーディング行列における各要素の前記振幅情報および前記位相情報における前記振幅情報および前記位相情報をＺＣシーケンスに交互に追加し、前記ＺＣシーケンスを前記第２のデバイスへ送信するか、または、
まず、前記未量子化プリコーディング行列における各要素の前記振幅情報をＺＣシーケンスに追加し、前記ＺＣシーケンスを前記第２のデバイスへ送信し、そして、各要素の前記位相情報をＺＣシーケンスに追加し、次に、前記ＺＣシーケンスを前記第２のデバイスへ送信するか、または、
まず、前記未量子化プリコーディング行列における各要素の前記位相情報をＺＣシーケンスに追加し、前記ＺＣシーケンスを前記第２のデバイスへ送信し、そして、各要素の前記振幅情報をＺＣシーケンスに追加し、次に、前記ＺＣシーケンスを前記第２のデバイスへ送信するよう構成される、
請求項４に記載の第１のデバイス。
【請求項６】
前記送信モジュールは具体的に、
前記未量子化プリコーディング行列における複数の要素の振幅情報に対して符号分割を実行し、前記振幅情報をＺＣシーケンスに追加し、かつ、前記ＺＣシーケンスを前記第２のデバイスへ送信するよう構成される、
請求項４または５に記載の第１のデバイス。
【請求項７】
前記処理モジュールは具体的に、
前記未量子化プリコーディング行列における各要素の位相情報を、前記未量子化プリコーディング行列を記述するために用いられる前記チャネル情報として用いるよう構成される、
請求項２に記載の第１のデバイス。
【請求項８】
前記処理モジュールはさらに、前記未量子化プリコーディング行列における各要素の振幅情報を量子化し、量子化振幅情報を生成するよう構成され、
前記送信モジュールはさらに、前記未量子化プリコーディング行列における各要素の前記量子化振幅情報を前記第２のデバイスへ送信するよう構成される、
請求項７に記載の第１のデバイス。
【請求項９】
前記処理モジュールは具体的に、
前記未量子化プリコーディング行列の各列ベクトルを、複数の基底ベクトルの重み付けされた和として表し、
前記未量子化プリコーディング行列の各列ベクトルが重み付けされた和として表されるときに用いられる重み係数を、前記未量子化プリコーディング行列を記述するために用いられる前記チャネル情報として用いる
よう構成される、
請求項２に記載の第１のデバイス。
【請求項１０】
前記送信モジュールは具体的に、
前記未量子化プリコーディング行列の各列ベクトルが重み付けされた和として表されるときに用いられる前記重み係数をＺＣシーケンスに追加し、前記ＺＣシーケンスを前記第２のデバイスへ送信するよう構成される、
請求項９に記載の第１のデバイス。
【請求項１１】
前記処理モジュールは具体的に、
Ｇｉｖｅｎｓ分解方式を用いることにより、前記未量子化プリコーディング行列を、乗算された複数の分解行列として表すことであって、各分解行列における各要素の振幅値が１である、表すことと、
前記複数の分解行列のそれぞれにおける各要素の位相情報を、前記未量子化プリコーディング行列を記述するために用いられる前記チャネル情報として用いることとを行うよう構成される、
請求項２に記載の第１のデバイス。
【請求項１２】
前記送信モジュールは具体的に、
前記複数の分解行列のそれぞれにおける各要素の前記位相情報をＺＣシーケンスに追加し、前記ＺＣシーケンスを前記第２のデバイスへ送信するよう構成される、
請求項１１に記載の第１のデバイス。
【請求項１３】
前記送信モジュールはさらに、
前記未量子化プリコーディング行列を記述するために用いられる前記チャネル情報を送信するときに占有される物理リソースブロックペアＰＲＢペア上の各タイムスロットにおける前記第１の直交周波数分割多重ＯＦＤＭシンボル上で、前記ＰＲＢペア上で送信された、前記未量子化プリコーディング行列を記述するために用いられる前記チャネル情報を復調するために用いられる復調参照信号を送信するか、または、
前記未量子化プリコーディング行列を記述するために用いられる前記チャネル情報を送信するときに占有されるＰＲＢペア上の各タイムスロットにおける前記第４のＯＦＤＭシンボル上で、前記タイムスロットにおいて送信された、前記未量子化プリコーディング行列を記述するために用いられる前記チャネル情報を復調するために用いられる復調参照信号を送信するか、または、
前記未量子化プリコーディング行列を記述するために用いられる前記チャネル情報を送信するときに占有されるＰＲＢペア上の各タイムスロットにおける前記第２のＯＦＤＭシンボルおよび前記第６のＯＦＤＭシンボル上で、前記タイムスロットにおいて送信された、前記未量子化プリコーディング行列を記述するために用いられる前記チャネル情報を復調するために用いられる復調参照信号を送信するよう構成される、
請求項１から１２の何れか一項に記載の第１のデバイス。
【請求項１４】
前記送信モジュールは具体的に、
前記未量子化プリコーディング行列を記述するために用いられる前記チャネル情報を、量子化チャネル品質インジケータＣＱＩおよび／または量子化ランク指標ＲＩと共に、同じチャネル状態インジケーションＣＳＩ処理において、前記第２のデバイスへ送信するよう構成される、
請求項１から６または９から１２の何れか一項に記載の第１のデバイス。
【請求項１５】
参照信号を第１のデバイスへ送信するよう構成される送信モジュールと、
前記第１のデバイスから、未量子化プリコーディング行列を記述するために用いられるチャネル情報を受信するよう構成される受信モジュールであって、前記未量子化プリコーディング行列は、前記参照信号に基づいてチャネル推定によって取得されたチャネル行列が分解された後に取得される行列である、受信モジュールと、
前記未量子化プリコーディング行列を記述するために用いられる前記チャネル情報に基づき、プリコーディング行列を生成し、前記生成されたプリコーディング行列に基づき、データを前記第１のデバイスへ送信するよう構成される処理モジュールと
を備える
第２のデバイス。
【請求項１６】
前記未量子化プリコーディング行列は、前記チャネル行列に対して特異値分解ＳＶＤが実行された後に取得される行列であり、
前記未量子化プリコーディング行列を記述するために用いられる前記チャネル情報は、前記未量子化プリコーディング行列における各要素の振幅情報よび位相情報を含み、
前記処理モジュールは具体的に、前記未量子化プリコーディング行列における各要素の前記振幅情報および前記位相情報に基づき、前記未量子化プリコーディング行列を生成するよう構成される、
請求項１５に記載の第２のデバイス。
【請求項１７】
前記受信モジュールは具体的に、
前記第１のデバイスから、前記未量子化プリコーディング行列における各要素の前記振幅情報および前記位相情報を保持しているＺＣシーケンスを受信し、
前記ＺＣシーケンスにおいて保持されている前記未量子化プリコーディング行列における各要素の前記振幅情報および前記位相情報を取得するよう構成される、
請求項１６に記載の第２のデバイス。
【請求項１８】
前記受信モジュールは具体的に、
前記ＺＣシーケンスにおいて交互に保持されている、前記未量子化プリコーディング行列における各要素の前記振幅情報および前記位相情報を受信するか、または、
まず、ＺＣシーケンスにおいて保持されている、前記未量子化プリコーディング行列における各要素の前記振幅情報を受信し、そして、ＺＣシーケンスにおいて保持されている、前記未量子化プリコーディング行列における各要素の前記位相情報を受信するか、または、
まず、ＺＣシーケンスにおいて保持されている、前記未量子化プリコーディング行列における各要素の前記位相情報を受信し、そして、ＺＣシーケンスにおいて保持されている、前記未量子化プリコーディング行列における各要素の前記振幅情報を受信するよう構成される、
請求項１７に記載の第２のデバイス。
【請求項１９】
前記受信モジュールは具体的に、符号分割が実行された後に、ＺＣシーケンスにおいて保持されている、前記未量子化プリコーディング行列における複数の要素の振幅情報を受信するよう構成される、
請求項１７または１８に記載の第２のデバイス。
【請求項２０】
前記未量子化プリコーディング行列は、前記チャネル行列に対してＳＶＤが実行された後に取得される行列であり、
前記未量子化プリコーディング行列を記述するために用いられる前記チャネル情報は、前記未量子化プリコーディング行列における各要素の位相情報を含み、
前記受信モジュールはさらに、前記処理モジュールが、前記未量子化プリコーディング行列を記述するために用いられる前記チャネル情報に基づき、前記プリコーディング行列を生成する前に、前記第１のデバイスから、前記未量子化プリコーディング行列における各要素の量子化振幅情報を受信するよう構成され、
前記第２のデバイスの前記処理モジュールは具体的に、前記未量子化プリコーディング行列における各要素の前記位相情報と、前記未量子化プリコーディング行列における各要素の前記量子化振幅情報とに基づき、前記プリコーディング行列を生成するよう構成される、
請求項１５に記載の第２のデバイス。
【請求項２１】
前記未量子化プリコーディング行列の前記チャネル情報は、前記未量子化プリコーディング行列の各列ベクトルが複数の基底ベクトルの重み付けされた和として表されるときに用いられる重み係数を含み、
前記処理モジュールは具体的に、
前記重み係数に基づき、前記未量子化プリコーディング行列の各列ベクトルを生成し、
前記未量子化プリコーディング行列における生成された各列ベクトルに基づき、前記未量子化プリコーディング行列を生成するよう構成される、
請求項１５に記載の第２のデバイス。
【請求項２２】
前記受信モジュールは具体的に、
前記第１のデバイスから、前記重み係数を保持しているＺＣシーケンスを受信し、
前記ＺＣシーケンスにおいて保持されている前記重み係数を取得するよう構成される、
請求項２１に記載の第２のデバイス。
【請求項２３】
前記未量子化プリコーディング行列は、前記チャネル行列に対してＳＶＤが実行された後に取得される行列であり、
前記未量子化プリコーディング行列を記述するために用いられる前記チャネル情報は、Ｇｉｖｅｎｓ分解方式を用いることにより、前記未量子化プリコーディング行列を表す乗算された複数の分解行列のそれぞれにおける各要素の位相情報を含み、各分解行列における各要素の振幅値が１であり、
前記処理モジュールは具体的に、
前記複数の分解行列のそれぞれにおける各要素の前記位相情報に基づき、前記複数の分解行列を生成し、
前記生成された複数の分解行列を乗算し、前記未量子化プリコーディング行列を取得するよう構成される、
請求項１５に記載の第２のデバイス。
【請求項２４】
前記受信モジュールは具体的に、
前記第１のデバイスから、前記複数の分解行列のそれぞれにおける各要素の前記位相情報を保持しているＺＣシーケンスを受信し、
前記ＺＣシーケンスにおいて保持されている、前記複数の分解行列のそれぞれにおける各要素の前記位相情報を取得するよう構成される、
請求項２３に記載の第２のデバイス。
【請求項２５】
前記受信モジュールはさらに、
前記未量子化プリコーディング行列を記述するために用いられる前記チャネル情報を受信するときに占有される物理リソースブロックペアＰＲＢペア上の各タイムスロットにおける前記第１の直交周波数分割多重ＯＦＤＭシンボル上で、前記ＰＲＢペア上で送信された、前記未量子化プリコーディング行列を記述するために用いられる前記チャネル情報を復調するために用いられる復調参照信号を受信するか、または、
前記未量子化プリコーディング行列を記述するために用いられる前記チャネル情報を受信するときに占有されるＰＲＢペア上の各タイムスロットにおける前記第４のＯＦＤＭシンボル上で、前記タイムスロットにおいて送信された、前記未量子化プリコーディング行列を記述するために用いられる前記チャネル情報を復調するために用いられる復調参照信号を受信するか、または、
前記未量子化プリコーディング行列を記述するために用いられる前記チャネル情報を受信するときに占有されるＰＲＢペア上の各タイムスロットにおける前記第２のＯＦＤＭシンボルおよび前記第６のＯＦＤＭシンボル上で、前記タイムスロットにおいて送信された、前記未量子化プリコーディング行列を記述するために用いられる前記チャネル情報を復調するために用いられる復調参照信号を受信するよう構成される、
請求項１５から２４の何れか一項に記載の第２のデバイス。
【請求項２６】
前記受信モジュールは具体的に、
同じチャネル状態インジケーションＣＳＩ処理において前記未量子化プリコーディング行列を記述するために用いられる前記チャネル情報と共に送信された量子化チャネル品質インジケータＣＱＩおよび／または量子化ランク指標ＲＩを受信するよう構成される、
請求項１５から１９または２１から２４の何れか一項に記載の第２のデバイス。
【請求項２７】
第１のデバイスが、第２のデバイスから受信された参照信号に基づき、チャネル推定を実行し、チャネル行列を取得する段階と、
前記第１のデバイスが、前記チャネル行列を分解し、未量子化プリコーディング行列を取得する段階と、
前記第１のデバイスが、前記未量子化プリコーディング行列を記述するために用いられるチャネル情報を生成する段階と、
前記第１のデバイスが、前記未量子化プリコーディング行列を記述するために用いられる前記チャネル情報を前記第２のデバイスへ送信する段階と
を備える
チャネル情報報告方法。
【請求項２８】
前記第１のデバイスが、前記チャネル行列を分解し、未量子化プリコーディング行列を取得する前記段階は、
前記第１のデバイスが、前記チャネル行列に対して特異値分解ＳＶＤを実行し、前記分解の後の対角行列および前記チャネル行列の固有ベクトルからなる行列を取得する段階と、
前記第１のデバイスが、前記対角行列に基づき、前記チャネル行列のランクを決定する段階と、
前記第１のデバイスが、前記ダウンリンクチャネル行列の前記ランクに基づき、前記チャネル行列の前記固有ベクトルからなる前記行列を変換し、前記未量子化プリコーディング行列を取得する段階とを含み、
前記未量子化プリコーディング行列の列数は、前記チャネル行列の前記ランクに等しい、
請求項２７に記載の方法。
【請求項２９】
前記第１のデバイスが、前記未量子化プリコーディング行列を記述するために用いられるチャネル情報を生成する前記段階は、
前記第１のデバイスが、前記未量子化プリコーディング行列における各要素の振幅情報および位相情報を、前記未量子化プリコーディング行列を記述するために用いられる前記チャネル情報として用いる段階を含む、
請求項２８に記載の方法。
【請求項３０】
前記第１のデバイスが、前記未量子化プリコーディング行列を記述するために用いられる前記チャネル情報を前記第２のデバイスへ送信する前記段階は、
前記第１のデバイスが、前記未量子化プリコーディング行列における各要素の前記振幅情報および前記位相情報のそれぞれを、ＺＣシーケンスに追加し、前記ＺＣシーケンスを前記第２のデバイスへ送信する段階を含む、
請求項２９に記載の方法。
【請求項３１】
前記第１のデバイスが、前記未量子化プリコーディング行列における各要素の前記振幅情報および前記位相情報のそれぞれをＺＣシーケンスに追加し、前記ＺＣシーケンスを前記第２のデバイスへ送信する前記段階は、
前記第１のデバイスが、前記未量子化プリコーディング行列における各要素の前記振幅情報および前記位相情報における前記振幅情報および前記位相情報をＺＣシーケンスに交互に追加し、前記ＺＣシーケンスを前記第２のデバイスへ送信する段階、または、
前記第１のデバイスが、まず、前記未量子化プリコーディング行列における各要素の前記振幅情報をＺＣシーケンスに追加し、前記ＺＣシーケンスを前記第２のデバイスに送信し、そして、各要素の前記位相情報をＺＣシーケンスに追加し、次に、前記ＺＣシーケンスを前記第２のデバイスへ送信する段階、または、
前記第１のデバイスが、まず、前記未量子化プリコーディング行列における各要素の前記位相情報をＺＣシーケンスに追加し、前記ＺＣシーケンスを前記第２のデバイスへ送信し、そして、各要素の前記振幅情報をＺＣシーケンスに追加し、次に、前記ＺＣシーケンスを前記第２のデバイスへ送信する段階を含む、
請求項３０に記載の方法。
【請求項３２】
前記第１のデバイスが、前記未量子化プリコーディング行列における各要素の前記振幅情報および前記位相情報のそれぞれをＺＣシーケンスに追加し、前記ＺＣシーケンスを前記第２のデバイスへ送信する前記段階は、
前記第１のデバイスが、前記未量子化プリコーディング行列における複数の要素の振幅情報に対して符号分割を実行し、前記振幅情報をＺＣシーケンスに追加し、かつ、前記ＺＣシーケンスを前記第２のデバイスへ送信する段階を含む、
請求項３０または３１に記載の方法。
【請求項３３】
前記第１のデバイスが、前記未量子化プリコーディング行列を記述するために用いられるチャネル情報を生成する前記段階は、
前記第１のデバイスが、前記未量子化プリコーディング行列における各要素の位相情報を、前記未量子化プリコーディング行列を記述するために用いられる前記チャネル情報として用いる段階を含む、
請求項２８に記載の方法。
【請求項３４】
前記第１のデバイスが、前記未量子化プリコーディング行列における各要素の振幅情報を量子化し、量子化振幅情報を生成する段階と、
前記第１のデバイスが、前記未量子化プリコーディング行列における各要素の前記量子化振幅情報を、前記第２のデバイスへ送信する段階とをさらに備える請求項３３に記載の方法。
【請求項３５】
前記第１のデバイスが、前記未量子化プリコーディング行列を記述するために用いられるチャネル情報を生成する前記段階は、
前記第１のデバイスが、前記未量子化プリコーディング行列の各列ベクトルを、複数の基底ベクトルの重み付けされた和として表す段階と、
前記第１のデバイスが、前記未量子化プリコーディング行列の各列ベクトルが重み付けされた和として表されるときに用いられる重み係数を、前記未量子化プリコーディング行列を記述するために用いられる前記チャネル情報として用いる段階とを含む、
請求項２８に記載の方法。
【請求項３６】
前記第１のデバイスが、前記未量子化プリコーディング行列を記述するために用いられる前記チャネル情報を前記第２のデバイスへ送信する前記段階は、
前記第１のデバイスが、前記未量子化プリコーディング行列の各列ベクトルが重み付けされた和として表されるときに用いられる前記重み係数を、ＺＣシーケンスに追加し、前記ＺＣシーケンスを前記第２のデバイスへ送信する段階を含む、
請求項３５に記載の方法。
【請求項３７】
前記第１のデバイスが、前記未量子化プリコーディング行列を記述するために用いられるチャネル情報を生成する前記段階は、
前記第１のデバイスが、Ｇｉｖｅｎｓ分解方式を用いることにより、前記未量子化プリコーディング行列を、乗算された複数の分解行列として表す段階であって、各分解行列における各要素の振幅値が１である、段階と、
前記第１のデバイスが、前記複数の分解行列のそれぞれにおける各要素の位相情報を、前記未量子化プリコーディング行列を記述するために用いられる前記チャネル情報として用いる段階とを含む、
請求項２８に記載の方法。
【請求項３８】
前記第１のデバイスが、前記未量子化プリコーディング行列を記述するために用いられる前記チャネル情報を前記第２のデバイスへ送信する前記段階は、
前記第１のデバイスが、前記複数の分解行列のそれぞれにおける各要素の前記位相情報をＺＣシーケンスに追加し、前記ＺＣシーケンスを前記第２のデバイスへ送信する段階を含む、
請求項３７に記載の方法。
【請求項３９】
前記方法はさらに、
前記第１のデバイスが、前記未量子化プリコーディング行列を記述するために用いられる前記チャネル情報を送信するときに占有される物理リソースブロックペアＰＲＢペア上の各タイムスロットにおける前記第１の直交周波数分割多重ＯＦＤＭシンボル上で、前記ＰＲＢペア上で送信された、前記未量子化プリコーディング行列を記述するために用いられる前記チャネル情報を復調するために用いられる復調参照信号を送信する段階、または、
前記第１のデバイスが、前記未量子化プリコーディング行列を記述するために用いられる前記チャネル情報を送信するときに占有されるＰＲＢペア上の各タイムスロットにおける前記第４のＯＦＤＭシンボル上で、前記タイムスロットにおいて送信された、前記未量子化プリコーディング行列を記述するために用いられる前記チャネル情報を復調するために用いられる復調参照信号を送信する段階、または、
前記第１のデバイスが、前記未量子化プリコーディング行列を記述するために用いられる前記チャネル情報を送信するときに占有されるＰＲＢペア上の各タイムスロットにおける前記第２のＯＦＤＭシンボルおよび前記第６のＯＦＤＭシンボル上で、前記タイムスロットにおいて送信された、前記未量子化プリコーディング行列を記述するために用いられる前記チャネル情報を復調するために用いられる復調参照信号を送信する段階を備える、
請求項２７から３８の何れか一項に記載の方法。
【請求項４０】
前記第１のデバイスが、前記未量子化プリコーディング行列を記述するために用いられる前記チャネル情報を前記第２のデバイスへ送信する前記段階は、
前記第１のデバイスが、前記未量子化プリコーディング行列を記述するために用いられる前記チャネル情報を、量子化チャネル品質インジケータＣＱＩおよび／または量子化ランク指標ＲＩと共に、同じチャネル状態インジケーションＣＳＩ処理において、前記第２のデバイスへ送信する段階を含む、
請求項２７から３２または３５から３８の何れか一項に記載の方法。
【請求項４１】
第２のデバイスが、参照信号を第１のデバイスへ送信する段階と、
前記第２のデバイスが、前記第１のデバイスから、未量子化プリコーディング行列を記述するために用いられるチャネル情報を受信する段階であって、前記未量子化プリコーディング行列は、前記参照信号に基づき、チャネル推定によって取得された前記チャネル行列が分解された後に取得される行列である、段階と、
前記第２のデバイスが、前記未量子化プリコーディング行列を記述するために用いられる前記チャネル情報に基づき、プリコーディング行列を生成する段階と、
前記第２のデバイスが、前記生成されたプリコーディング行列に基づき、データを前記第１のデバイスへ送信する段階と
を備える
データ送信方法。
【請求項４２】
前記未量子化プリコーディング行列は、前記チャネル行列に対して特異値分解ＳＶＤが実行された後に取得された行列であり、
前記未量子化プリコーディング行列を記述するために用いられる前記チャネル情報は、前記未量子化プリコーディング行列における各要素の振幅情報および位相情報を含み、
前記第２のデバイスが、前記未量子化プリコーディング行列を記述するために用いられる前記チャネル情報に基づき、プリコーディング行列を生成する前記段階は、
前記第２のデバイスが、前記未量子化プリコーディング行列における各要素の前記振幅情報および前記位相情報に基づき、前記未量子化プリコーディング行列を生成する段階を含む、
請求項４１に記載の方法。
【請求項４３】
前記第２のデバイスが、未量子化プリコーディング行列を記述するために用いられるチャネル情報を受信する前記段階は、
前記第２のデバイスが、前記第１のデバイスから、前記未量子化プリコーディング行列における各要素の前記振幅情報および前記位相情報を保持しているＺＣシーケンスを受信する段階と、
前記第２のデバイスが、前記ＺＣシーケンスにおいて保持されている、前記未量子化プリコーディング行列における各要素の前記振幅情報および前記位相情報を取得する段階とを含む、
請求項４２に記載の方法。
【請求項４４】
前記第２のデバイスが、未量子化プリコーディング行列を記述するために用いられるチャネル情報を受信する前記段階は、
前記第２のデバイスが、前記ＺＣシーケンスにおいて交互に保持されている、前記未量子化プリコーディング行列における各要素の前記振幅情報および前記位相情報を受信する段階、または、
前記第２のデバイスが、まず、ＺＣシーケンスにおいて保持されている、前記未量子化プリコーディング行列における各要素の前記振幅情報を受信し、そして、ＺＣシーケンスにおいて保持されている、前記未量子化プリコーディング行列における各要素の前記位相情報を受信する段階、または、
前記第２のデバイスが、まず、ＺＣシーケンスにおいて保持されている、前記未量子化プリコーディング行列における各要素の前記位相情報を受信し、そして、ＺＣシーケンスにおいて保持されている、前記未量子化プリコーディング行列における各要素の前記振幅情報を受信する段階を含む、
請求項４３に記載の方法。
【請求項４５】
前記第２のデバイスが、未量子化プリコーディング行列を記述するために用いられるチャネル情報を受信する前記段階は、
前記第２のデバイスが、符号分割が実行された後に、ＺＣシーケンスにおいて保持されている、前記未量子化プリコーディング行列における複数の要素の振幅情報を受信する段階を含む、
請求項４３または４４に記載の方法。
【請求項４６】
前記未量子化プリコーディング行列は、前記チャネル行列に対してＳＶＤが実行された後に取得される行列であり、
前記未量子化プリコーディング行列を記述するために用いられる前記チャネル情報は、前記未量子化プリコーディング行列における各要素の位相情報を含み、
前記第２のデバイスが、前記未量子化プリコーディング行列を記述するために用いられる前記チャネル情報に基づき、プリコーディング行列を生成する前記段階の前に、前記方法はさらに、
前記第２のデバイスが、前記第１のデバイスから、前記未量子化プリコーディング行列における各要素の量子化振幅情報を受信する段階を備え、
前記第２のデバイスが、前記未量子化プリコーディング行列を記述するために用いられる前記チャネル情報に基づき、プリコーディング行列を生成する前記段階は、
前記第２のデバイスが、前記未量子化プリコーディング行列における各要素の前記位相情報と、前記未量子化プリコーディング行列における各要素の前記量子化振幅情報とに基づき、前記プリコーディング行列を生成する段階を含む、
請求項４１に記載の方法。
【請求項４７】
前記未量子化プリコーディング行列の前記チャネル情報は、前記未量子化プリコーディング行列の各列ベクトルが複数の基底ベクトルの重み付けされた和として表されるときに用いられる重み係数を含み、
前記第２のデバイスが、前記未量子化プリコーディング行列を記述するために用いられる前記チャネル情報に基づき、プリコーディング行列を生成する前記段階は、
前記第２のデバイスが、前記受信された重み係数に基づき、前記未量子化プリコーディング行列の各列ベクトルを生成する段階と
前記第２のデバイスが、前記未量子化プリコーディング行列における生成された各列ベクトルに基づき、前記未量子化プリコーディング行列を生成する段階とを含む、
請求項４１に記載の方法。
【請求項４８】
前記第２のデバイスが、未量子化プリコーディング行列を記述するために用いられるチャネル情報を受信する前記段階は、
前記第２のデバイスが、前記第１のデバイスから、前記重み係数を保持しているＺＣシーケンスを受信する段階と、
前記第２のデバイスが、前記ＺＣシーケンスにおいて保持されている前記重み係数を取得する段階とを含む、
請求項４７に記載の方法。
【請求項４９】
前記未量子化プリコーディング行列は、前記チャネル行列に対してＳＶＤが実行された後に取得される行列であり、
前記未量子化プリコーディング行列を記述するために用いられる前記チャネル情報は、Ｇｉｖｅｎｓ分解方式を用いることにより、前記未量子化プリコーディング行列を表す乗算された複数の分解行列のそれぞれにおける各要素の位相情報を含み、各分解行列における各要素の振幅値が１であり、
前記第２のデバイスが、前記未量子化プリコーディング行列を記述するために用いられる前記チャネル情報に基づき、プリコーディング行列を生成する前記段階は、
前記第２のデバイスが、前記複数の分解行列のそれぞれにおける各要素の前記位相情報に基づき、前記複数の分解行列を生成する段階と、
前記第２のデバイスが、前記生成された複数の分解行列を乗算し、前記未量子化プリコーディング行列を取得する段階とを含む、
請求項４１に記載の方法。
【請求項５０】
前記第２のデバイスが、チャネル情報を受信する前記段階は、
前記第２のデバイスが、前記第１のデバイスから、前記複数の分解行列のそれぞれにおける各要素の前記位相情報を保持しているＺＣシーケンスを受信する段階と、
前記第２のデバイスが、前記ＺＣシーケンスにおいて保持されている、前記複数の分解行列のそれぞれにおける各要素の前記位相情報を取得する段階とを含む、
請求項４９に記載の方法。
【請求項５１】
前記方法はさらに、
前記第２のデバイスが、前記未量子化プリコーディング行列を記述するために用いられる前記チャネル情報を受信するときに占有される物理リソースブロックペアＰＲＢペア上の各タイムスロットにおける前記第１の直交周波数分割多重ＯＦＤＭシンボル上で、前記ＰＲＢペア上で送信された、前記未量子化プリコーディング行列を記述するために用いられる前記チャネル情報を復調するために用いられる復調参照信号を受信する段階、または、
前記第１のデバイスが、前記未量子化プリコーディング行列を記述するために用いられる前記チャネル情報を受信するときに占有される物理リソースブロックペアＰＲＢペア上の各タイムスロットにおける前記第４の直交周波数分割多重ＯＦＤＭシンボル上で、前記タイムスロットにおいて送信された、前記未量子化プリコーディング行列を記述するために用いられる前記チャネル情報を復調するために用いられる復調参照信号を受信する段階、または、
前記第１のデバイスが、前記未量子化プリコーディング行列を記述するために用いられる前記チャネル情報を受信するときに占有される物理リソースブロックペアＰＲＢペア上の各タイムスロットにおける前記第２の直交周波数分割多重ＯＦＤＭシンボルおよび前記第６のＯＦＤＭシンボル上で、前記タイムスロットにおいて送信された、前記未量子化プリコーディング行列を記述するために用いられる前記チャネル情報を復調するために用いられる復調参照信号を受信する段階を備える、
請求項４１から５０の何れか一項に記載の方法。
【請求項５２】
前記第２のデバイスが、未量子化プリコーディング行列を記述するために用いられるチャネル情報を受信する前記段階は、
前記第２のデバイスが、同じチャネル状態インジケーションＣＳＩ処理において前記未量子化プリコーディング行列を記述するために用いられる前記チャネル情報と共に送信された量子化チャネル品質インジケータＣＱＩおよび／または量子化ランク指標ＲＩを受信する段階を含む、
請求項４１から４５または４７から５０の何れか一項に記載の方法。
【請求項５３】
第２のデバイスであって、参照信号を第１のデバイスへ送信することと、前記第１のデバイスから、前記第１のデバイスにより、前記参照信号に基づき、チャネル推定を実行することにより取得されたチャネル行列が分解された後に取得される行列である未量子化プリコーディング行列を記述するために用いられるチャネル情報を受信することと、前記未量子化プリコーディング行列を記述するために用いられる前記チャネル情報に基づき、プリコーディング行列を生成することと、前記生成されたプリコーディング行列に基づき、データを前記第１のデバイスへ送信することとを行うよう構成される第２のデバイスと、
前記第１のデバイスであって、前記第２のデバイスから受信された前記参照信号に基づき、チャネル推定を実行して前記チャネル行列を取得し、前記チャネル行列を分解して前記未量子化プリコーディング行列を取得し、前記未量子化プリコーディング行列を記述するために用いられる前記チャネル情報を生成し、前記未量子化プリコーディング行列を記述するために用いられる前記チャネル情報を前記第２のデバイスへ送信し、前記生成されたプリコーディング行列に基づき、前記第２のデバイスにより前記第１のデバイスへ送信された前記データを受信するよう構成される前記第１のデバイスと
を備える
無線通信システム。
【発明の詳細な説明】
【技術分野】
【０００１】
［関連出願の相互参照］
本出願は、２０１６年３月１６日に中国特許庁に出願された「チャネル情報報告方法および装置、ならびにシステム」と題した中国特許出願第２０１６１０１４９５１４．２号に基づく優先権を主張し、当該出願はその全体が参照により本明細書に組み込まれている。本出願は、無線通信技術に関し、特に、チャネル情報報告方法および装置、ならびにシステムに関する。
【背景技術】
【０００２】
現在、ロングタームエボリューション（Ｌｏｎｇ  Ｔｅｒｍ  Ｅｖｏｌｕｔｉｏｎ、ＬＴＥ）における周波数分割複信（Ｆｒｅｑｕｅｎｃｙ  Ｄｉｖｉｓｉｏｎ  Ｄｕｐｌｅｘ、ＦＤＤ）システムにおいて、ユーザ機器（Ｕｓｅｒ  Ｅｑｕｉｐｍｅｎｔ、ＵＥ）が基地局により送信された受信参照信号に基づき、チャネル推定を実行し、そして、チャネル状態情報を決定し、チャネル状態情報をフィードバックする。チャネル状態情報は、ランク指標（Ｒａｎｋ  Ｉｎｄｉｃａｔｏｒ、ＲＩ）、プリコーディング行列インデックス（Ｐｒｅｃｏｄｉｎｇ  Ｍａｔｒｉｘ  Ｉｎｄｉｃａｔｏｒ、ＰＭＩ）、およびチャネル品質インジケータ（Ｃｈａｎｎｅｌ  Ｑｕａｌｉｔｙ  Ｉｎｄｉｃａｔｏｒ、ＣＱＩ）を含む。
【０００３】
ＰＭＩは、プリコーディング行列のインデックスであり、プリコーディング行列は、チャネル特徴を表すために用いられる量子化行列である。従って、量子化損失が存在し、フィードバックされたチャネル情報は誤差を有し、その結果、ダウンリンクの適応的性能が低下する。
【発明の概要】
【０００４】
本発明の実施形態は、チャネル情報報告方法および装置、ならびにシステムを提供し、ＵＥがＰＭＩを報告するとき、量子化損失の存在に起因してダウンリンクの適応的性能が低下するといった問題を解決する。
【０００５】
第１の態様によれば、本発明の実施形態は、チャネル情報報告方法を提供する。
【０００６】
当該方法において、第２のデバイスが、参照信号を第１のデバイスへ送信する。第１のデバイスは、第２のデバイスから受信された参照信号に基づき、チャネル推定を実行し、チャネル行列を取得する。第１のデバイスは、当該チャネル行列を分解し、未量子化プリコーディング行列を取得し、当該未量子化プリコーディング行列を記述するために用いられるチャネル情報を生成する。第１のデバイスは、未量子化プリコーディング行列を記述するために用いられるチャネル情報を第２のデバイスへ送信する。第２のデバイスは、第１のデバイスから、未量子化プリコーディング行列を記述するために用いられるチャネル情報を受信する。第２のデバイスは、未量子化プリコーディング行列を記述するために用いられるチャネル情報に基づき、プリコーディング行列を生成する。第２のデバイスは、生成されたプリコーディング行列に基づき、データを第１のデバイスへ送信する。
【０００７】
第２のデバイスは、未量子化プリコーディング行列を記述するために用いられるチャネル情報を送信する。従って、量子化誤差が回避され、これにより、第１のデバイスにより取得されたプリコーディング行列がより正確となり、それにより、リンクの適応的性能が効果的に向上する。
【０００８】
任意選択的な実装方式において、第１のデバイスは、チャネル行列を分解し、未量子化プリコーディング行列を取得してよい。
【０００９】
例えば、第１のデバイスは、チャネル行列に対して特異値分解ＳＶＤを実行し、分解後の対角行列およびチャネル行列の固有ベクトルからなる行列を取得する。第１のデバイスは、対角行列に基づき、チャネル行列のランクを決定する。第１のデバイスは、ダウンリンクチャネル行列のランクに基づき、チャネル行列の固有ベクトルからなる行列を変換し、未量子化プリコーディング行列を取得する。未量子化プリコーディング行列の列数は、チャネル行列のランクに等しい。
【００１０】
ここで、未量子化プリコーディング行列を生成するための方法が提供される。
【００１１】
任意選択的な実装方式において、未量子化プリコーディング行列が生成された後に、かつ、未量子化プリコーディング行列を記述するために用いられるチャネル情報が生成されたとき、多くの方法が存在し得る。
【００１２】
例えば、第１の方法：
【００１３】
未量子化プリコーディング行列における各要素の振幅情報および位相情報が、未量子化プリコーディング行列を記述するために用いられるチャネル情報として用いられる。
【００１４】
このように、振幅情報および位相情報を受信した後に、第２のデバイスは、情報に基づき、未量子化プリコーディング行列を生成し得る。
【００１５】
振幅情報および位相情報を第２のデバイスへ送信するとき、第１のデバイスは、振幅情報および位相情報のそれぞれをＺＣシーケンスに追加し、ＺＣシーケンスを第２のデバイスへ送信してよい。第２のデバイスは、受信されたＺＣシーケンスから、振幅情報および位相情報を取得する。
【００１６】
ＺＣシーケンスは、比較的良好な自己相関特性および相互相関特性を有する。従って、ＺＣシーケンスからチャネル情報を取得するとき、第２のデバイスは、比較的良好な信号復調性能を取得してよく、それにより、チャネル情報を取得する精度が向上する。
【００１７】
振幅情報および位相情報を送信するとき、第１のデバイスは、振幅情報および位相情報をＺＣシーケンスに交互に追加し、ＺＣシーケンスを第２のデバイスへ送信してよい。
【００１８】
代替的に、第１のデバイスは、まず、未量子化プリコーディング行列における各要素の振幅情報をＺＣシーケンスに追加し、ＺＣシーケンスを第２のデバイスへ送信し、そして、各要素の位相情報をＺＣシーケンスに追加し、次にＺＣシーケンスを第２のデバイスへ送信する。第２のデバイスは、まず、振幅情報を受信し、そして、位相情報を受信する。
【００１９】
代替的に、第１のデバイスは、まず、未量子化プリコーディング行列における各要素の位相情報をＺＣシーケンスに追加し、ＺＣシーケンスを第２のデバイスへ送信し、そして、各要素の振幅情報をＺＣシーケンスに追加し、次にＺＣシーケンスを第２のデバイスへ送信する。第２のデバイスは、まず、位相情報を受信し、そして、振幅情報を受信する。
【００２０】
振幅情報および位相情報を送信する任意選択的な実装方式が提供される。
【００２１】
任意選択的に、振幅情報を送信するとき、第１のデバイスは、未量子化プリコーディング行列における複数の要素の振幅情報に対して符号分割を実行し、振幅情報をＺＣシーケンスに追加し、ＺＣシーケンスを第２のデバイスへ送信してよい。ＺＣシーケンスを受信した後に、ＺＣシーケンスから振幅情報を取得するとき、第２のデバイスは、符号分割に関する処理を実行した後に振幅情報を取得する。
【００２２】
このように、同じ位相を有する振幅情報が追加された後の振幅値が過度に大きくなることを防止し得る。
【００２３】
第２の方法：
【００２４】
第１のデバイスは、Ｇｉｖｅｎｓ分解方式を用いることにより、未量子化プリコーディング行列を、乗算された複数の分解行列として表す。各分解行列における各要素の振幅値が１である。第１のデバイスは、複数の分解行列のそれぞれにおける各要素の位相情報を、未量子化プリコーディング行列を記述するために用いられるチャネル情報として用いる。
【００２５】
任意選択的に、第１のデバイスは、複数の分解行列のそれぞれにおける各要素の位相情報をＺＣシーケンスに追加し、ＺＣシーケンスを第２のデバイスへ送信する。
【００２６】
第２のデバイスは、ＺＣシーケンスを受信し、ＺＣシーケンスから複数の分解行列のそれぞれにおける各要素の位相情報を取得し、取得された位相情報に基づき、複数の分解行列を生成し、生成された複数の分解行列を乗算し、未量子化プリコーディング行列を取得する。
【００２７】
未量子化プリコーディング行列を記述するために用いられるチャネル情報を生成するための別の方法が提供される。
【００２８】
第３の方法：
【００２９】
第１のデバイスは、未量子化プリコーディング行列の各列ベクトルを、複数の基底ベクトルの重み付けされた和として表す。第１のデバイスは、未量子化プリコーディング行列の各列ベクトルが重み付けされた和として表されるときに用いられる重み係数を、未量子化プリコーディング行列を記述するために用いられるチャネル情報として用いる。
【００３０】
任意選択的に、第１のデバイスは、未量子化プリコーディング行列の各列ベクトルが重み付けされた和として表されるときに用いられる重み係数をＺＣシーケンスに追加し、ＺＣシーケンスを第２のデバイスへ送信する。
【００３１】
ＺＣシーケンスを受信した後に、第２のデバイスは、ＺＣシーケンスにおいて保持されている重み係数を取得し、取得された重み係数に基づき、未量子化プリコーディング行列の各列ベクトルを生成し、未量子化プリコーディング行列における生成された各列ベクトルに基づき、未量子化プリコーディング行列を生成する。
【００３２】
第２のデバイスは、第１のデバイスから、重み係数において保持されているＺＣシーケンスを受信する。第２のデバイスは、ＺＣシーケンスにおいて保持されている重み係数を取得する。
【００３３】
未量子化プリコーディング行列を記述するために用いられるチャネル情報を生成するための別の方法が提供される。
【００３４】
第４の方法：
【００３５】
第１のデバイスは、未量子化プリコーディング行列における各要素の位相情報を、未量子化プリコーディング行列を記述するために用いられるチャネル情報として、用いる。第１のデバイスは、未量子化プリコーディング行列における各要素の振幅情報を量子化し、量子化振幅情報を生成する。第１のデバイスは、未量子化プリコーディング行列における各要素の量子化振幅情報を第２のデバイスへ送信する。
【００３６】
第２のデバイスは、未量子化プリコーディング行列における各要素の位相情報と、未量子化プリコーディング行列における各要素の量子化振幅情報とに基づき、プリコーディング行列を生成する。
【００３７】
第４の方法において、振幅情報を量子化し、そして、伝送する必要があり、位相情報は依然として、未量子化アナログパラメータに基づき、伝送される。未量子化プリコーディング行列を記述するために用いられるチャネル情報の情報ビット数を効果的に低減させることができる。量子化誤差が存在するが、第２のデバイスはさらに、量子化間隔を適切に設定することにより、比較的精確なプリコーディング行列を取得することができる。
【００３８】
第１の態様において提供されている方法においても、または第１の態様の様々な任意選択的な実装方式において提供されている方法においても関係なく、未量子化プリコーディング行列を記述するために用いられるチャネル情報を送信するとき、第１のデバイスはさらに、チャネル情報を復調するために用いられる復調参照信号を送信してよい。
【００３９】
第２のデバイスは、未量子化プリコーディング行列のチャネル情報を受信するのみならず、チャネル情報を復調するために用いられる復調参照信号も受信し、復調参照信号に基づきチャネル情報を復調する。
【００４０】
例えば、第１のデバイスは、未量子化プリコーディング行列を記述するために用いられるチャネル情報を送信するときに占有される物理リソースブロックペアＰＲＢペア上の各タイムスロットにおける第１の直交周波数分割多重ＯＦＤＭシンボル上で、ＰＲＢペア上で送信された、未量子化プリコーディング行列を記述するために用いられるチャネル情報を復調するために用いられる復調参照信号を送信する。
【００４１】
別の例として、第１のデバイスは、未量子化プリコーディング行列を記述するために用いられるチャネル情報を送信するときに占有されるＰＲＢペア上の各タイムスロットにおける第４のＯＦＤＭシンボル上で、タイムスロットにおいて送信された、未量子化プリコーディング行列を記述するために用いられるチャネル情報を復調するために用いられる復調参照信号を送信する。
【００４２】
別の例として、第１のデバイスは、未量子化プリコーディング行列を記述するために用いられるチャネル情報を送信するときに占有されるＰＲＢペア上の各タイムスロットにおける第２のＯＦＤＭシンボルおよび第６のＯＦＤＭシンボル上で、タイムスロットにおいて送信された、未量子化プリコーディング行列を記述するために用いられるチャネル情報を復調するために用いられる復調参照信号を送信する。
【００４３】
ここで、復調参照信号を送信する複数の方式が提供される。
【００４４】
第１の態様において提供されている方法、または第１の態様の様々な任意選択的な実装方式において提供されている方法においても関係なく、第１のデバイスは、未量子化プリコーディング行列を記述するために用いられるチャネル情報を、量子化チャネル品質インジケータＣＱＩおよび／または量子化ランク指標ＲＩと共に、同じチャネル状態インジケーションＣＳＩ処理において、第２のデバイスへ送信してよい。
【００４５】
第２のデバイスは、同じチャネル状態インジケーションＣＳＩ処理において未量子化プリコーディング行列を記述するために用いられるチャネル情報と共に送信された量子化チャネル品質インジケータＣＱＩおよび／または量子化ランク指標ＲＩを受信する。
【００４６】
第２の態様によれば、本発明の実施形態は、第１のデバイスを提供する。第１のデバイスは、上述の方法における第１のデバイスの動作を実装する機能を有する。機能は、ハードウェアにより実装されてよく、またはハードウェアが対応するソフトウェアを実行することにより実装されてよい。当該ハードウェアまたはソフトウェアは、上述の機能に対応する１つ又は複数のモジュールを含む。
【００４７】
任意選択的な実現解決手段は、第１のデバイスの構造は、受信機と、プロセッサと、トランスミッタとを備える。プロセッサは、第１の基地局をサポートし、上述の方法における対応する機能を実行するよう構成される。受信機は、第１のデバイスをサポートし、上述の方法における、第２のデバイスにより送信された参照信号およびデータを受信するよう構成される。トランスミッタは、第１のデバイスをサポートし、チャネル情報を第２のデバイスへ送信するよう構成される。第１のデバイスはさらに、メモリを備えてよい。メモリは、プロセッサに連結されるよう構成され、第１のデバイスにとって必要なプログラム命令およびデータを記憶する。
【００４８】
第３の態様によれば、本発明の実施形態は、第２のデバイスを提供する。第２のデバイスは、上述の方法における第２のデバイスの動作を実装する機能を有する。機能は、ハードウェアにより実装されてよく、またはハードウェアが対応するソフトウェアを実行することにより実装されてよい。ハードウェアまたはソフトウェアは、上述の機能に対応する１つ又は複数のモジュールを含む。
【００４９】
任意選択的な実装方式において、第２のデバイスの構造は、受信機と、プロセッサと、トランスミッタとを備える。トランスミッタは、第２のデバイスをサポートし、上述の方法における参照信号およびデータを第１のデバイスへ送信するよう構成される。プロセッサは、第２のデバイスをサポートし、上述の方法における対応する機能を実行するよう構成される。受信機は、第２のデバイスをサポートし、第１のデバイスにより送信されたチャネル情報を受信するよう構成される。任意選択的に、第２のデバイスはさらに、メモリを備える。メモリは、プロセッサに連結されるよう構成され、第２のデバイスにとって必要なプログラム命令およびデータを記憶する。
【００５０】
第４の態様によれば、本発明の実施形態は、無線通信システムを提供する。無線通信システムは、第１の態様から第３の態様のうち何れか１つに係る第１のデバイスおよび第２のデバイスを備える。
【００５１】
第５の態様によれば、本発明の実施形態は、第１の態様から第４の態様のうち何れか１つに係る第１のデバイスにより用いられるコンピュータソフトウェア命令を記憶するよう構成されるコンピュータ記憶媒体を提供する。コンピュータソフトウェア命令は、上述の態様を実行するよう設計されるプログラムを含む。
【００５２】
第６の態様によれば、本発明の実施形態は、第１の態様から第４の態様のうち何れか１つに係る第２のデバイスにより用いられるコンピュータソフトウェア命令を記憶するよう構成されるコンピュータ記憶媒体を提供する。コンピュータソフトウェア命令は、上述の態様を実行するよう設計されるプログラムを含む。
【００５３】
第７の態様によれば、本発明の実施形態は、チャネル情報報告方法を提供し、当該チャネル情報報告方法は、第２のデバイスが参照信号を第１のデバイスへ送信する段階と、第１のデバイスが参照信号に基づき、チャネル推定を実行してチャネル行列を取得し、チャネル行列を記述するために用いられるチャネル情報を生成し、チャネル行列を記述するために用いられるチャネル情報を第２のデバイスへ送信する段階と、第２のデバイスが第１のデバイスからチャネル行列を記述するために用いられるチャネル情報を受信し、チャネル行列を記述するために用いられるチャネル情報に基づき、チャネル行列を生成し、生成されたチャネル行列に基づき、未量子化プリコーディング行列を生成し、生成された未量子化プリコーディング行列に基づき、データを第１のデバイスへ送信する段階とを備える。
【００５４】
第２のデバイスは、チャネル行列を記述するために用いられるチャネル情報を送信する。従って、量子化プリコーディング行列が送信されたときの量子化誤差が回避され、これにより、第１のデバイスにより取得されたチャネル情報がより正確となり、それにより、リンクの適応的性能が効果的に向上する。
【００５５】
任意選択的な実装方式において、第１のデバイスは、チャネル行列の各列ベクトルを、複数の基底ベクトルの重み付けされた和として表す。第１のデバイスは、チャネル行列の各列ベクトルが重み付けされた和として表されるときに用いられる重み係数を、チャネル行列を記述するために用いられるチャネル情報として用いる。
【００５６】
任意選択的に、第１のデバイスが、チャネル行列の各列ベクトルが重み付けされた和として表されるときに用いられる重み係数をＺＣシーケンスに追加し、ＺＣシーケンスを第２のデバイスへ送信してよい。第２のデバイスは、受信されたＺＣシーケンスから重み係数を取得し、取得された重み係数に基づき、チャネル行列を生成する。
【００５７】
任意選択的な実装方式において、第１のデバイスは、チャネル行列を記述するために用いられるチャネル情報を、量子化チャネル品質インジケータＣＱＩおよび／または量子化ランク指標ＲＩと共に、同じチャネル状態インジケーションＣＳＩ処理において、第２のデバイスへ送信する。
【００５８】
第８の態様によれば、本発明の実施形態は、第１のデバイスを提供する。第１のデバイスは、上述の方法における第１のデバイスの動作を実装する機能を有する。機能は、ハードウェアにより実装されてよく、またはハードウェアが対応するソフトウェアを実行することにより実装されてよい。ハードウェアまたはソフトウェアは、上述の機能に対応する１つ又は複数のモジュールを含む。
【００５９】
任意選択的な実現解決手段において、第１のデバイスの構造は、受信機と、プロセッサと、トランスミッタとを備える。プロセッサは、第１の基地局をサポートし、上述の方法における対応する機能を実行するよう構成される。受信機は、第１のデバイスをサポートし、上述の方法における、第２のデバイスにより送信された参照信号およびデータを受信するよう構成される。トランスミッタは、第１のデバイスをサポートし、チャネル情報を第２のデバイスへ送信するよう構成される。第１のデバイスはさらに、メモリを備えてよい。メモリは、プロセッサに連結されるよう構成され、第１のデバイスにとって必要なプログラム命令およびデータを記憶する。
【００６０】
第９の態様によれば、本発明の実施形態は、第２のデバイスを提供する。第２のデバイスは、上述の方法における第２のデバイスの動作を実装する機能を有する。機能は、ハードウェアにより実装されてよく、またはハードウェアが対応するソフトウェアを実行することにより実装されてよい。ハードウェアまたはソフトウェアは、上述の機能に対応する１つ又は複数のモジュールを含む。
【００６１】
任意選択的な実装方式において、第２のデバイスの構造は、受信機と、プロセッサと、トランスミッタとを備える。トランスミッタは、第２のデバイスをサポートし、上述の方法における参照信号およびデータを第１のデバイスへ送信するよう構成される。プロセッサは、第２のデバイスをサポートし、上述の方法における対応する機能を実行するよう構成される。受信機は、第２のデバイスをサポートし、第１のデバイスにより送信されたチャネル情報を受信するよう構成される。任意選択的に、第２のデバイスはさらに、メモリを備える。メモリはプロセッサに連結されるよう構成され、第２のデバイスにとって必要なプログラム命令およびデータを記憶する。
【００６２】
第１０の態様によれば、本発明の実施形態は、無線通信システムを提供する。無線通信システムは、第１の態様から第９の態様のうち何れか１つに係る第１のデバイスおよび第２のデバイスを備える。
【００６３】
第１１の態様によれば、本発明の実施形態は、第１の態様から第１０の態様のうち何れか１つに係る第１のデバイスにより用いられるコンピュータソフトウェア命令を記憶するよう構成されるコンピュータ記憶媒体を提供する。コンピュータソフトウェア命令は、上述の態様を実行するよう設計されるプログラムを含む。
【００６４】
第１２の態様によれば、本発明の実施形態は、第１の態様から第１０の態様のうち何れか１つに係る第２のデバイスにより用いられるコンピュータソフトウェア命令を記憶するよう構成されるコンピュータ記憶媒体を提供する。コンピュータソフトウェア命令は、上述の態様を実行するよう設計されるプログラムを備える。
【図面の簡単な説明】
【００６５】
【図１】本発明の実施形態に係る無線通信システムの概略構造図である。
【００６６】
【図２】本発明の実施形態に係る第１のデバイスと第２のデバイスとの間の相互作用の模式図である。
【００６７】
【図３】本発明の実施形態に係る第１のチャネル情報報告解決手段のフローチャートである。
【００６８】
【図４Ａ】本発明の実施形態に係るチャネル情報および復調参照信号の任意選択的な方式を示す。
【図４Ｂ】本発明の実施形態に係るチャネル情報および復調参照信号の任意選択的な方式を示す。
【図４Ｃ】本発明の実施形態に係るチャネル情報および復調参照信号の任意選択的な方式を示す。
【００６９】
【図５】本発明の実施形態に係るチャネル情報における振幅情報および位相情報を交互に送信する模式図である。
【００７０】
【図６】本発明の実施形態に係る、符号分割後の振幅情報を送信する模式図である。
【００７１】
【図７】本発明の実施形態に係る第２のチャネル情報報告解決手段のフローチャートである。
【００７２】
【図８】本発明の実施形態に係る第１種の第１のデバイスの概略構造図である。
【００７３】
【図９】本発明の実施形態に係る第２種の第１のデバイスの概略構造図である。
【００７４】
【図１０】本発明の実施形態に係る第１種の第２のデバイスの概略構造図である。
【００７５】
【図１１】本発明の実施形態に係る第２種の第２のデバイスの概略構造図である。
【００７６】
【図１２】本発明の実施形態に係る第３種の第１のデバイスの概略構造図である。
【００７７】
【図１３】本発明の実施形態に係る第４種の第１のデバイスの概略構造図である。
【００７８】
【図１４】本発明の実施形態に係る第５種の第２のデバイスの概略構造図である。
【００７９】
【図１５】本発明の実施形態に係る第６種の第２のデバイスの概略構造図である。
【発明を実施するための形態】
【００８０】
本発明の実施形態の目的、解決手段、および利点をより理解できるようにするために、以下では、詳細な説明を提供する。詳細な説明は、ブロック図、フローチャートおよび／または例を用いることにより、デバイスおよび／または方法の様々な実装方式を提供する。これらのブロック図、フローチャート、および／または例は、１つ又は複数の機能および／または動作を含む。当業者は、様々なハードウェア、ソフトウェア、およびファームウェア、および／またはそれらの任意の組み合わせを用いることにより、ブロック図、フローチャート、および／または例における各機能および／または動作が独立しておよび／または共同で実行されることができることを理解し得る。
【００８１】
「システム」および「ネットワーク」という用語は、本発明の実施形態において互換的に用いられてよい。本発明の実施形態における「および／または」という用語は、関連対象物を説明するために、関連関係のみを説明しており、３つの関係が存在し得ることを表している。例えば、Ａおよび／またはＢは、Ａのみが存在する、Ａ及びＢの両方が存在する、およびＢのみが存在するという３つの場合を表し得る。加えて、本明細書における「／」という記号は概して、関連対象物間の「または」という関係を示す。
【００８２】
本発明の実施形態をより容易に理解されるようにするために、以下では、まず、本発明の実施形態におけるいくつかの記載を説明する。これらの記載は、本発明において請求される保護範囲に対する限定とみなされるべきではない。
【００８３】
一、チャネル行列
【００８４】
無線通信システムにおいて、伝送信号がｘであり、受信信号がｙであり、ｘとｙとの間のチャネルのチャネルインパルス応答がｈであり、かつ、付加的なガウシアンノイズがｎであると仮定すると、受信信号ｙおよび伝送信号ｘは、以下の関係を満たす。
【数１】
2019510415.tif 000003
【００８５】
Ｎｔ個の伝送アンテナおよびＮｒ個の受信アンテナを含む多入力多出力（Ｍｕｌｔｉｐｌｅ  Ｉｎｐｕｔ  Ｍｕｌｔｉｐｌｅ  Ｏｕｔｐｕｔ、ＭＩＭＯ）システムについて、受信信号ｙおよび伝送信号ｘは、以下の関係を満たす。
【数２】
2019510415.tif 000004
【００８６】
【数３】
2019510415.tif 000005
【数４】
2019510415.tif 000006
Ｈは、チャネル行列であり、
【数５】
2019510415.tif 000007
かつ、
【数６】
2019510415.tif 000008
【００８７】
チャネル行列Ｈのｉ番目の行およびｊ番目の列は、ｊ番目の伝送アンテナからｉ番目の受信アンテナまでの、複素数で表現されるチャネルゲインを示す。
【００８８】
Ｎｔ＝１、かつＮｒ＞１である場合、ＭＩＭＯシステムは、単入力多出力（Ｓｉｎｇｌｅ  Ｉｎｐｕｔ  Ｍｕｌｔｉｐｌｅ  Ｏｕｔｐｕｔ、ＳＩＭＯ）システムである。Ｎｔ＞１、かつＮｒ＝１である場合、ＭＩＭＯシステムは、多入力単出力（Ｍｕｌｔｉｐｌｅ  Ｉｎｐｕｔ  Ｓｉｎｇｌｅ  Ｏｕｔｐｕｔ、ＭＩＳＯ）システムである。ＳＩＭＯシステムおよびＭＩＳＯシステムは両方とも、ＭＩＭＯシステムの特定のケースとしてみなされてよい。本発明の実施形態は、ＭＩＭＯシステムに適用可能である。
【００８９】
二、プリコーディング行列
【００９０】
信号の伝送端部が伝送端部と受信端部との間のチャネルのチャネル情報を取得した場合、伝送端部は、取得されたチャネル情報に基づき、伝送信号に対して前処理を行ってよい。データストリーム間のいくつかのまたは全ての干渉が伝送端部上で予め排除され得て、データ伝送のリンク適応性を実現する。すなわち、異なるデータ伝送方式は、異なるチャネル状況に基づき、用いられ、データストリーム間の干渉を可能な限り低減する。
【００９１】
伝送端部がプリコーディング処理を実行するときに用いられる行列は、「プリコーディング行列」である。
【００９２】
伝送端部がプリコーディング処理を実行した後の受信信号ｙおよび伝送信号ｘとの間の関係は、以下の式を用いることにより示されてよい。
【数７】
2019510415.tif 000009
【００９３】
Ｆは、プリコーディング行列である。
【００９４】
三、ＬＴＥ  ＦＤＤシステムにおけるダウンリンク伝送中の前処理方法
【００９５】
基地局が、サウンディング参照信号をＵＥへ送信する。ＵＥは、受信されたサウンディング参照信号に基づき、チャネル推定を実行してチャネル行列Ｈを取得し、コードブック集合Ｃ＝{Ｗｉ}から、予め設定されたプリコーディング行列Ｓを選択して、容量または信号対雑音比（Ｓｉｇｎａｌ  ｔｏ  Ｎｏｉｓｅ  Ｒａｔｉｏ、ＳＮＲ）を最大化する。ＵＥは、選択されたプリコーディング行列のインデックスＰＭＩを基地局へフィードバックする。
【００９６】
例えば、アンテナポート数が２であるコードブックが、以下の表に示される。現在、ランクが１であるプリコーディング行列が４つのみ存在する。
【表１】
2019510415.tif 000010
【００９７】
ＵＥによりフィードバックされたプリコーディング行列は量子化され、従って、誤差が存在し、基地局により取得されたチャネル情報が不正確となること、およびリンクの適応的性能が不良になることを引き起こすことが認識され得る。
【００９８】
図１は、本発明の実施形態に係る無線通信システムの概略構造図である。図１において示されているように、無線通信システムは、第１のデバイス１０１および第２のデバイス１０２を備える。
【００９９】
第２のデバイス１０２は、参照信号を第１のデバイス１０１へ送信する。第１のデバイス１０１は、第２のデバイス１０２から受信された参照信号に基づい、チャネル推定を実行し、チャネル推定結果を示すために用いられるチャネル情報を第２のデバイス１０２へ送信する。第２のデバイス１０２は、受信されたチャネル情報に基づき、データを第１のデバイス１０１へ送信する。
【０１００】
第１のデバイス１０１と第２のデバイス１０２との間の上述の相互作用処理は、図２において示されているものであってよい。
【０１０１】
第１のデバイス１０１は、ネットワークデバイス、例えば、基地局であってよい。第２のデバイス１０２は、端末装置であってよい。代替的に、第１のデバイス１０１は、端末装置であってよく、第２のデバイス１０２はネットワークデバイスであってよい。さらに代替的に、第１のデバイス１０１および第２のデバイス１０２は両方とも、端末装置である。さらに代替的に、第１のデバイス１０１および第２のデバイス１０２は両方とも、ネットワークデバイスである。
【０１０２】
第２のデバイス１０２が参照信号を第１のデバイス１０１へ送信し、かつ、第１のデバイス１０１が参照信号に基づきチャネル推定を実行してチャネル情報をフィードバックする限り、チャネル情報報告およびデータ伝送は、本発明の本実施形態において提供されている解決手段を用いることにより、実行されることができ、より正確なチャネル推定結果を取得し、リンクの適応的性能を向上させる。
【０１０３】
加えて、例えば、上述のＦＤＤデュプレクシング方式、または時分割複信（Ｔｉｍｅ  Ｄｉｖｉｓｉｏｎ  Ｄｕｐｌｅｘｉｎｇ、ＴＤＤ）方式など、どのデュプレクシング方式が第１のデバイス１０１と第２のデバイス１０２との間の通信中に用いられるかに関わらず、本発明の本実施形態において提供されている解決手段は、正確なチャネル推定結果を取得するために用いられることができ、リンクの適応的性能を向上させることができる。
【０１０４】
第１のデバイス１０１と第２のデバイス１０２との間の通信の通信規格は、グローバルシステムフォーモバイルコミュニケーションズ（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ（登録商標））、符号分割多重接続（Ｃｏｄｅ  Ｄｉｖｉｓｉｏｎ  Ｍｕｌｔｉｐｌｅ  Ａｃｃｅｓｓ、ＣＤＭＡ）ＩＳ−９５、符号分割多重接続（Ｃｏｄｅ  Ｄｉｖｉｓｉｏｎ  Ｍｕｌｔｉｐｌｅ  Ａｃｃｅｓｓ、ＣＤＭＡ）２０００、時分割同期符号分割多重接続（Ｔｉｍｅ  Ｄｉｖｉｓｉｏｎ−Ｓｙｎｃｈｒｏｎｏｕｓ  Ｃｏｄｅ  Ｄｉｖｉｓｉｏｎ  Ｍｕｌｔｉｐｌｅ  Ａｃｃｅｓｓ、ＴＤ−ＳＣＤＭＡ）、広帯域符号分割多重接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ（登録商標））、時分割複信−ロングタームエボリューション（Ｔｉｍｅ  Ｄｉｖｉｓｉｏｎ  Ｄｕｐｌｅｘｉｎｇ−Ｌｏｎｇ  Ｔｅｒｍ  Ｅｖｏｌｕｔｉｏｎ、ＴＤＤ  ＬＴＥ）、周波数分割複信−ロングタームエボリューション（Ｆｒｅｑｕｅｎｃｙ  Ｄｉｖｉｓｉｏｎ  Ｄｕｐｌｅｘｉｎｇ−Ｌｏｎｇ  Ｔｅｒｍ  Ｅｖｏｌｕｔｉｏｎ、ＦＤＤ  ＬＴＥ）、ロングタームエボリューション−アドバンスト（Ｌｏｎｇ  Ｔｅｒｍ  Ｅｖｏｌｕｔｉｏｎ−Ａｄｖａｎｃｅｄ、ＬＴＥ−Ａｄｖａｎｃｅｄ）、パーソナルハンディフォンシステム（Ｐｅｒｓｏｎａｌ  Ｈａｎｄｙ−ｐｈｏｎｅ  Ｓｙｓｔｅｍ、ＰＨＳ）、８０２．１１シリーズプロトコルにおいて規定されたワイヤレスフィディリティ（Ｗｉｒｅｌｅｓｓ  Ｆｉｄｅｌｉｔｙ、ＷｉＦｉ（登録商標））、ワールドワイドインターオペラビリティフォーマイクロウェーブアクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、ＷｉＭａｘ）、および様々な未来の進化型無線通信システムを含んでよいが、これらに限定されない。
【０１０５】
上述の端末装置は、無線端末であってよい。無線端末は、音声および／またはデータ接続性をユーザに提供するためのデバイス、無線接続機能を有するハンドヘルドデバイス、または無線モデムに接続される別の処理デバイスであってよい。無線端末は、無線アクセスネットワーク（例えば、ＲＡＮ、Ｒａｄｉｏ  Ａｃｃｅｓｓ  Ｎｅｔｗｏｒｋ）を介して１つ又は複数のコアネットワークと通信を行ってよい。無線端末は、（「セルラ」電話とも称される）携帯電話などの移動端末、および移動端末を有するコンピュータであってよく、例えば、ポータブルな、ポケットサイズの、ハンドヘルド型、コンピュータ内蔵型、または車載型モバイル装置であってよく、無線アクセスネットワークと音声および／またはデータを交換する。例えば、無線端末は、パーソナルコミュニケーションサービス（ＰＣＳ、Ｐｅｒｓｏｎａｌ  Ｃｏｍｍｕｎｉｃａｔｉｏｎ  Ｓｅｒｖｉｃｅ）電話、コードレス電話セット、セッション開始プロトコル（ＳＩＰ）電話、無線ローカルループ（ＷＬＬ、Ｗｉｒｅｌｅｓｓ  Ｌｏｃａｌ  Ｌｏｏｐ）局、またはパーソナルデジタルアシスタント（ＰＤＡ、Ｐｅｒｓｏｎａｌ  Ｄｉｇｉｔａｌ  Ａｓｓｉｓｔａｎｔ）などのデバイスであってよい。無線端末は、加入者ユニット（Ｓｕｂｓｃｒｉｂｅｒ  Ｕｎｉｔ）、加入者局（Ｓｕｂｓｃｒｉｂｅｒ  Ｓｔａｔｉｏｎ）、移動局（Ｍｏｂｉｌｅ  Ｓｔａｔｉｏｎ）、移動機（Ｍｏｂｉｌｅ）、遠隔局（Ｒｅｍｏｔｅ  Ｓｔａｔｉｏｎ）、アクセスポイント（Ａｃｃｅｓｓ  Ｐｏｉｎｔ）、遠隔端末（Ｒｅｍｏｔｅ  Ｔｅｒｍｉｎａｌ）、アクセス端末（Ａｃｃｅｓｓ  Ｔｅｒｍｉｎａｌ）、ユーザ端末（Ｕｓｅｒ  Ｔｅｒｍｉｎａｌ）、ユーザエージェント（Ｕｓｅｒ  Ａｇｅｎｔ）、ユーザデバイス（Ｕｓｅｒ  Ｄｅｖｉｃｅ）、またはユーザ機器（Ｕｓｅｒ  Ｅｑｕｉｐｍｅｎｔ）とも称されてよい。
【０１０６】
上述のネットワークデバイスは、基地局、または基地局を制御するよう構成される無線リソース管理デバイスを含んでよく、または、基地局、および基地局を制御するよう構成される無線リソース管理デバイスを含んでよい。基地局は、マクロ基地局、またはマイクロ基地局、例えば、スモールセル（ｓｍａｌｌ  ｃｅｌｌ）またはピコセル（ｐｉｃｏ  ｃｅｌｌ）であってよい。代替的に、基地局は、ホーム基地局、例えば、ホームノードＢ（Ｈｏｍｅ  ＮｏｄｅＢ、ＨＮＢ）またはホーム進化型ノードＢ（Ｈｏｍｅ  ｅＮｏｄｅＢ、ＨｅＮＢ）であってよい。基地局は、中継（ｒｅｌａｙ）ノードなどを含んでよい。
【０１０７】
例えば、ＴＤＤ  ＬＴＥシステム、ＦＤＤ  ＬＴＥシステム、またはＬＴＥ−ＡシステムなどのＬＴＥシステムに関して、上述のネットワークデバイスは、進化型ノードＢ（ｅｖｏｌｖｅｄ  ＮｏｄｅＢ、ｅＮｏｄｅＢ）であってよく、端末装置はＵＥであってよい。ＴＤ−ＳＣＤＭＡシステム、またはＷＣＤＭＡ（登録商標）システムに関して、上述のネットワークデバイスは、ノードＢ（ＮｏｄｅＢ）および／または無線ネットワークコントローラ（Ｒａｄｉｏ  Ｎｅｔｗｏｒｋ  Ｃｏｎｔｒｏｌｌｅｒ、ＲＮＣ）を含んでよく、端末装置は、ＵＥであってよい。ＧＳＭ（登録商標）システムに関して、上述のネットワークデバイスは、ベーストランシーバステーション（Ｂａｓｅ  Ｔｒａｎｓｃｅｉｖｅｒ  Ｓｔａｔｉｏｎ、ＢＴＳ）および／または基地局コントローラ（Ｂａｓｅ  Ｓｔａｔｉｏｎ  Ｃｏｎｔｒｏｌｌｅｒ、ＢＳＣ）を含んでよく、端末装置は、移動局（Ｍｏｂｉｌｅ  Ｓｔａｔｉｏｎ、ＭＳ）であってよい。ＷｉＦｉ（登録商標）システムに関して、上述のネットワークデバイスは、アクセスポイント（Ａｃｃｅｓｓ  Ｐｏｉｎｔ、ＡＰ）および／またはアクセスコントローラ（Ａｃｃｅｓｓ  Ｃｏｎｔｒｏｌｌｅｒ、ＡＣ）を含んでよく、端末装置は、局（Ｓｔａｔｉｏｎ、ＳＴＡ）であってよい。
【０１０８】
以下の図３および図７は別々に、２つのチャネル情報報告解決手段を示す。
【０１０９】
図３において示されている解決手段において、第１のデバイス１０１は、未量子化プリコーディング行列を記述するために用いられるチャネル情報を報告する。
【０１１０】
図７において示されている解決手段において、第１のデバイス１０１は、チャネル行列のチャネル情報を報告する。
【０１１１】
以下では、図３および図７において示されている２つの解決手段を別々に説明する。
【０１１２】
図３は、本発明の実施形態に係る第１のチャネル情報報告解決手段のプロシージャを示す。図３において示されているように、プロシージャは、以下の段階を含む。
【０１１３】
Ｓ３０１：第２のデバイス１０２が、参照信号を第１のデバイス１０１へ送信し、ここで、参照信号は、第２のデバイス１０２から第１のデバイス１０１までのチャネルに対してチャネル推定を実行するために用いられる。
【０１１４】
任意選択的に、第２のデバイス１０２がＬＴＥシステムにおける基地局であり、かつ、第１のデバイス１０１がＬＴＥシステムにおけるユーザ機器である場合、参照信号は、復調参照信号（Ｄｅｍｏｄｕｌａｔｉｏｎ  Ｒｅｆｅｒｅｎｃｅ  Ｓｉｇｎａｌ、ＤＭＲＳ）であってよい。
【０１１５】
Ｓ３０２：第１のデバイス１０１が、参照信号に基づき、チャネル推定を実行し、チャネル行列Ｈを取得する。
【０１１６】
Ｓ３０３：第１のデバイス１０１が、チャネル行列Ｈを分解し、未量子化プリコーディング行列を取得する。
【０１１７】
第１のデバイス１０１がチャネル行列Ｈを分解するとき、例えば、特異値分解（Ｓｉｎｇｕｌａｒ  Ｖａｌｕｅ  Ｄｅｃｏｍｐｏｓｉｔｉｏｎ、ＳＶＤ）など、複数の分解方法が存在し得る。複数の分解方法は次に詳細に説明される。
【０１１８】
Ｓ３０４：第１のデバイス１０１が、未量子化プリコーディング行列を記述するために用いられるチャネル情報を生成する。
【０１１９】
Ｓ３０５：第１のデバイス１０１が、未量子化プリコーディング行列を記述するために用いられる生成されたチャネル情報をＺＣシーケンスに追加する。
【０１２０】
Ｓ３０６：第１のデバイス１０１が、未量子化プリコーディング行列を記述するために用いられるチャネル情報を保持しているＺＣシーケンスを第２のデバイス１０２へ送信する。
【０１２１】
段階Ｓ３０５および段階Ｓ３０６において、第１のデバイス１０１は、生成されたチャネル情報をＺＣシーケンスに追加し、ＺＣシーケンスを第２のデバイス１０２へ送信する。ＺＣシーケンスは、比較的良好な自己相関特性および相互相関特性を有する。従って、ＺＣシーケンスからチャネル情報を取得するとき、第２のデバイス１０２は、比較的良好な信号復調性能を取得し得て、それにより、チャネル情報を取得する精度が向上する。
【０１２２】
ＺＣシーケンスは単に一例である。第２のデバイス１０２がチャネル情報を取得できる限り、未量子化プリコーディング行列を記述するために用いられるチャネル情報は、送信のために別のシーケンスにおいて保持されてもよい。
【０１２３】
ＺＣシーケンスなどのシーケンスに追加する方式は実際に、物理層上での送信方式である。実際に、チャネル情報は、媒体アクセス制御（Ｍｅｄｉｕｍ  Ａｃｃｅｓｓ  Ｃｏｎｔｒｏｌ、ＭＡＣ）シグナリング、またはより高次のレイヤのシグナリング、例えば、無線リソース制御（Ｒａｄｉｏ  Ｒｅｓｏｕｒｃｅ  Ｃｏｎｔｒｏｌ、ＲＲＣ）シグナリングを用いることにより、伝送されてもよい。
【０１２４】
Ｓ３０７：第２のデバイス１０２は、未量子化プリコーディング行列を記述するために用いられるチャネル情報を保持している、受信されたＺＣシーケンスからチャネル情報を取得する。
【０１２５】
Ｓ３０８：第２のデバイス１０２が、取得されたチャネル情報に基づき、プリコーディング行列を生成し、生成されたプリコーディング行列に基づき、データを第１のデバイス１０１へ送信するときに用いられる送信方式を決定する。生成されたプリコーディング行列に基づき、第２のデバイス１０２によりデータ送信方式を決定するための方法については、量子化プリコーディング行列に基づき、基地局による、データ送信方式を決定するための現在の方法を参照されたいが、本発明の本実施形態において、第２のデバイス１０２は、より高い精度を有するいくつかまたは全ての未量子化チャネル情報に基づき、プリコーディング行列を生成する。
【０１２６】
Ｓ３０９：第２のデバイス１０２が、決定された送信方式を用いることにより、データを第１のデバイス１０１へ送信する。
【０１２７】
図３において示されているプロシージャにおいて、第２のデバイス１０２は、未量子化プリコーディング行列を記述するために用いられるチャネル情報を送信する。従って、量子化誤差が回避され、これにより、第１のデバイス１０１により取得されたプリコーディング行列がより正確となり、それにより、リンクの適応的性能が効果的に向上する。
【０１２８】
図３において示されているプロシージャにおける、チャネル行列Ｈの分解方式、ならびに未量子化プリコーディング行列を記述するために用いられるチャネル情報のための生成方法および送信方式は以下において詳細に説明される。
【０１２９】
ＳＶＤ分解方式は、説明のために、ここでは一例として用いられる。
【０１３０】
未量子化プリコーディング行列をチャネル行列Ｈから取得できる限り、用いられ得る分解方式は、ＳＶＤ分解方式に限定されない。
【０１３１】
第２のデバイス１０２は、Ｈ＝ＵΣＶという式に基づき、チャネル行列Ｈに対して固有値分解を実行し、チャネル行列Ｈの固有ベクトルを取得し得る。
【０１３２】
Σは、対角行列であり、Ｖは、チャネル行列Ｈの固有ベクトルを含む行列である。チャネル行列Ｈのランク（Ｒａｎｋ）およびＳＮＲは、Σに基づき取得され得て、チャネルのプリコーディング行列Ｂは、Ｖに基づき、取得され得る。例えば、固有値の閾値より小さい固有値に対応する固有ベクトルが取り除かれた後に、残りの固有ベクトルがＢを形成する。プリコーディング行列は、量子化されず、すなわち、未量子化プリコーディング行列である。行列Ｂの列数は、チャネル行列Ｈのランクに等しく、固有値の閾値は、第２のデバイス１０２により予め設定されてよい。
【０１３３】
以下では、チャネル行列ＨがＳＶＤを用いることにより分解された場合、対応する段階Ｓ３０４におけるチャネル情報を生成および送信するための任意選択的な方法を説明する。
【０１３４】
第１の方法において、未量子化プリコーディング行列を記述するために用いられるチャネル情報は、未量子化プリコーディング行列Ｂにおける各要素の振幅情報および位相情報である。
【０１３５】
第２の方法において、未量子化プリコーディング行列Ｂは、Ｇｉｖｅｎｓ分解方式を用いることにより、乗算された複数の分解行列として表され、各分解行列における各要素の振幅値が１であり、未量子化プリコーディング行列を記述するために用いられるチャネル情報は、複数の分解行列のそれぞれにおける各要素の位相情報である。
【０１３６】
第３の方法において、未量子化プリコーディング行列Ｂの各列ベクトルは、複数の基底ベクトルの重み付けされた和として表され、未量子化プリコーディング行列を記述するために用いられるチャネル情報は、重み付けされた和演算を実行するときに用いられる重み係数である。
【０１３７】
第４の方法において、チャネル情報は、未量子化プリコーディング行列Ｂにおける各要素の位相情報と、未量子化プリコーディング行列における各要素の量子化振幅情報を含む。
【０１３８】
４つの任意選択的な方法を以下において別々に説明する。
【０１３９】
第１の方法において、未量子化プリコーディング行列を記述するために用いられるチャネル情報は、未量子化プリコーディング行列Ｂにおける各要素の振幅情報および位相情報である。
【０１４０】
ランクがＮであると仮定すると、プリコーディング行列は、Ｂであり、合計でＮ列およびＭ行を有する。Ｍは、第１のデバイス１０１のアンテナポート数である。
【０１４１】
行列Ｂについて、フィードバックする必要があるパラメータは、合計でＭ＊Ｎ＊２個が存在し、例えば、Ｍ＊Ｎ個の振幅情報ａｍ，ｎ、およびＭ＊Ｎ個の位相情報Φｍ，ｎが存在する。Ｍ、Ｎ、ｍ、およびｎは、正の整数であり、１≦ｍ≦Ｍ、かつ、１≦ｎ≦Ｎである。Ｍ＊Ｎ＊２個の情報は、段階Ｓ３０４において生成された、未量子化プリコーディング行列Ｂを記述するために用いられるチャネル情報である。
【０１４２】
Ｍ＊Ｎ＊２個の情報は、送信のために信号に変調されてよい。予め設定されたシーケンス、例えば、ＺＣシーケンスは、信号ごとに用いられ、すなわち、信号は、伝送のためにＺＣシーケンスにおいて保持されている。
【０１４３】
ＬＴＥシステムを例として用いると、１つの物理リソースブロック（Ｐｈｙｓｉｃａｌ  Ｒｅｓｏｕｒｃｅ  Ｂｌｏｃｋ、ＰＲＢ）ペア（ｐａｉｒ）が、１４個の直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）シンボルを含み、各ＯＦＤＭシンボルは、１つのＺＣシーケンスＳｉを伝送し得ると仮定する。ｉは正の整数であり、１≦ｉ≦Ｍ＊Ｎ＊２である。Ｍ＊Ｎ＊２個の情報のそれぞれは、１つのＺＣシーケンスを用いることにより保持され、異なる情報に対応するＺＣシーケンスは、異なるものであってよく、または同じものであってよい。情報の伝送は、以下の方式で実行されてよい。
【０１４４】
位相情報Φｍ，ｎがＺＣシーケンスＳｉに変調された場合、１つのＰＲＢペアが１４個の位相情報を伝送し得る（復調参照信号は、ＰＲＢペア上で伝送されず、復調参照信号は、チャネル情報を復調するために第１のデバイス１０１により用いられると仮定する）。
【０１４５】
伝送される必要がある位相情報を伝送するのに１つのＰＲＢペアでは不十分である場合、別の周波数領域リソースがさらに伝送のために用いられる。例えば、ＰＲＢペア０が、１４個の位相情報を伝送する。ＰＲＢペア０では不十分である場合、ＰＲＢペア１が、伝送のために続けて用いられる。
【０１４６】
図４Ａは、チャネル情報を復調するために用いられる復調参照信号が、ＰＲＢペア上の各タイムスロットにおける第１のＯＦＤＭシンボル上で伝送された場合、チャネル情報における位相情報をＰＲＢペアへ変調するための変調方法を示す。例えば、第１のデバイス１０１が基地局であり、かつ、第２のデバイス１０２が端末装置である場合、チャネル情報は、アップリンクチャネル情報であり、復調参照信号は、アップリンクチャネル情報を復調するために用いられる復調参照信号である。
【０１４７】
図４Ｂは、チャネル情報を復調するために用いられる復調参照信号がＰＲＢペア上の各タイムスロットにおける第４のＯＦＤＭシンボル上で伝送された場合、チャネル情報における位相情報をＰＲＢペアへ変調するための変調方法を示す。例えば、第１のデバイス１０１が基地局であり、かつ、第２のデバイス１０２が端末装置である場合、チャネル情報は、アップリンクチャネル情報であり、復調参照信号は、アップリンクチャネル情報を復調するために用いられる復調参照信号である。
【０１４８】
図４Ｃは、チャネル情報を復調するために用いられる復調参照信号が、ＰＲＢペア上の各タイムスロットにおける第２のＯＦＤＭシンボルおよび第６のＯＦＤＭシンボル上で伝送された場合、チャネル情報における位相情報をＰＲＢペアへ変調するための変調方法を示す。例えば、第１のデバイス１０１が基地局であり、第２のデバイス１０２が端末装置である場合、チャネル情報は、アップリンクチャネル情報であり、復調参照信号は、アップリンクチャネル情報を復調するために用いられる復調参照信号である。
【０１４９】
任意選択的に、図４Ａから図４Ｃに示されている変調方法において、チャネル情報を復調するために用いられる復調参照信号は、ＰＲＢペア上の第１のタイムスロットまたは第２のタイムスロットにおいてのみ送信されてもよい。チャネル情報を復調するために用いられる復調参照信号は、１を用いることにより変調され、別のＯＦＤＭシンボルが、チャネル情報における位相情報を用いることにより、変調される。
【０１５０】
チャネル情報を復調するために用いられる復調参照信号によって占有されるＯＦＤＭシンボルの位置および数量は、図４Ａから図４Ｃにおいて示されている方法に限定されない。占有されるＯＦＤＭシンボルがより多いということは、ＰＲＢペア上の分布がより均等であること、および第１のデバイス１０１により取得されたチャネル情報がより正確であることを示す一方、占有されるＯＦＤＭシンボルがより多いことは、チャネル情報の伝送効率がより低いことを示す。
【０１５１】
１つのＯＦＤＭシンボル上で第１のデバイス１０１により受信された、ＺＣシーケンスにおいて保持されている位相情報信号は、ｙ'＝ｈ'＊Ｓｉ＊Φｍ，ｎという式を用いることにより示されてよい。
【０１５２】
ｈ'はＰＲＢペア上の復調参照信号を用いることにより解かれ、Ｓｉは第１のデバイス１０１の既知のシーケンスであり、第１のデバイス１０１は、復調によってΦｍ，ｎを取得し得る。
【０１５３】
同様に、振幅情報も送信される必要がある。第２のデバイス１０２はまた、振幅情報をＺＣシーケンスに変調してよく、第１のデバイス１０１による振幅情報を復調するための変調方法は、位相情報のための復調方法と同じであってもよい。例えば、図５において示されているように、送信される予定の振幅情報ａ０，０がＺＣシーケンスＳ０において保持され、チャネル情報における全ての位相情報が送信された後に送信されてよく、または、全ての位相情報が送信される前に送信されてよく、または、チャネル情報における振幅情報および位相情報は交互に送信される。チャネル情報を復調するために用いられる復調参照信号の位置および数は、図５において示されている解決手段に限定されなくてよい。
【０１５４】
任意選択的に、チャネル情報における振幅情報は、符号分割後にＺＣシーケンスに変調されてよい。このように、同じ位相を有する振幅情報が追加された後の振幅値が過度に大きくなることを防ぎ得るという利点がある。直交系列が、符号分割処理中に振幅情報と乗算されるために用いられ、振幅情報および直交系列は、１対１の対応関係にあり、すなわち、相互に直交する用いられる直交系列の数が、振幅情報の数と同じである。
【０１５５】
図６において示されているように、送信される必要がある３つの振幅情報が存在し、相互に直交する３つの直交系列ａ（ｎ）が必要とされる。ｎは整数であり、かつ、０≦ｎ≦３である。（ｗ０，ｗ１，ｗ２，ｗ３）は、例えば、（１，１，１，１）であり、１つの直交系列を示す。オーソゴナルカバー（ｏｒｔｈｏｇｏｎａｌ  ｃｏｖｅｒ）は、３つの参照信号が存在する場合、３つのみのチャネル情報を伝送することができることを示す。これは、３つの参照信号は３つのチャネル情報のみを区別できるからである。
【０１５６】
第１の方法が用いられる場合、段階Ｓ３０８においてチャネル情報を受信した後に、第２のデバイス１０２は、チャネル情報における振幅情報および位相情報を用いることにより、未量子化プリコーディング行列Ｂを復元してよい。
【０１５７】
第１の方法と、次に説明される第４の方法との間の差異が、第１の方法において、振幅情報および位相情報は両方、未量子化のものであるが、第４の方法において、振幅情報は量子化されたもので、位相情報は未量子化のものであることにある。従って、第１の方法において、第２のデバイス１０２は、より正確な未量子化プリコーディング行列を取得でき、取得されたチャネル推定結果がより精確である。第４の方法において、いくつかの情報が量子化されたものであるので、第２のデバイス１０２により取得されたプリコーディング行列の精度は、第１の方法での精度ほど高くないが、それでも、現在取得された量子化プリコーディング行列の精度より高い。加えて、第１の方法と比較して、いくつかの情報ビットが低減される。
【０１５８】
第２の方法：分解行列の位相情報
【０１５９】
第１のデバイス１０１は、Ｇｉｖｅｎｓ分解方式を用いることにより、未量子化プリコーディング行列Ｂを乗算された複数の分解行列に分解する。各分解行列における各要素の振幅値が１であり、すなわち、各分解行列は、位相情報のみを含み、位相情報は、未量子化プリコーディング行列Ｂを表す。
【０１６０】
第１のデバイス１０１は、複数の分解行列のそれぞれにおける各要素の位相情報を、未量子化プリコーディング行列を記述するために用いられるチャネル情報を用いる。
【０１６１】
第１のデバイス１０１は、複数の分解行列のそれぞれにおける各要素の位相情報を、ＺＣシーケンスに変調し、当該ＺＣシーケンスを第２のデバイス１０２へ送信する。具体的には、第１の方法における振幅情報および位相情報を送信するための方法を参照されたい。
【０１６２】
段階Ｓ３０８において、ＺＣシーケンスを受信した後に、第２のデバイス１０２は、ＺＣシーケンスを復調して位相情報を取得し、複数の分解行列を復元し、複数の復元された分解行列を乗算し、未量子化プリコーディング行列Ｂを取得してよい。
【０１６３】
第３の方法：チャネル情報が重み係数である
【０１６４】
第２の方法において、第１のデバイス１０１は、未量子化プリコーディング行列Ｂの各列ベクトルが重み付けされた和として表されるときに用いられる重み係数を、未量子化プリコーディング行列Ｂを記述するために用いられるチャネル情報として、用いる。
【０１６５】
当該方法において、第１のデバイス１０１および第２のデバイス１０２は、各用いられる基底ベクトルを予め定める必要があり、例えば、Ｌ個の基底ベクトル
【数８】
2019510415.tif 000011
を用いることを予め定める。Ｌは正の整数である。第１のデバイス１０１は、取得された未量子化プリコーディング行列Ｂの各列ベクトルを、Ｌ個の基底ベクトルの重み付けされた和として、表してよい：
【数９】
2019510415.tif 000012
【０１６６】
未量子化プリコーディング行列Ｂの列数がＮである。このように、未量子化プリコーディング行列Ｂを記述するために用いられるチャネル情報は、Ｎ＊Ｌ個の重み係数を含む。
【０１６７】
Ｎ＊Ｌ個の重み係数は、第１の方法において提供されている方法を用いることにより、ＺＣシーケンスに変調されてもよい。第１のデバイス１０１は、第１の方法において提供されている方式を用いることにより、ＺＣシーケンスからＮ＊Ｌ個の重み係数を取得してもよい。
【０１６８】
任意選択的に、離散フーリエ変換（Ｄｉｓｃｒｅｔｅ  Ｆｏｕｒｉｅｒ  Ｔｒａｎｓｆｏｒｍ、ＤＦＴ）線状結合方式を用いるときに用いられるＬ個の基底ベクトルは、以下の式を用いることにより示されてよく、Ｍは、行列Ｂの行数である。
【数１０】
2019510415.tif 000013
【０１６９】
離散コサイン変換（Ｄｉｓｃｒｅｔｅ  Ｃｏｓｉｎｅ  Ｔｒａｎｓｆｏｒｍ、ＤＦＴ）線状結合方式を用いるときに用いられるＬ個の基底ベクトルは、以下の式を用いることにより示されてよく、Ｍは、行列Ｂの行数である。
【数１１】
2019510415.tif 000014
【０１７０】
Ｌは、最大直交ベースの数を示し、最大直交ベースの数は、基底ベクトルの数より大きくならず、Ｍは、２より小さくない整数である。
【０１７１】
段階Ｓ３０８において、第３の方法が用いられる場合、第２のデバイス１０２は、受信された重み係数と、第１のデバイス１０１と予め定められた複数の基底ベクトルとに基づき、未量子化プリコーディング行列Ｂの各列ベクトルを生成し、そして、生成された各列ベクトルを未量子化プリコーディング行列Ｂに組み合わせる。
【０１７２】
第４の方法：
【０１７３】
第４の方法において、第１のデバイス１０１によりチャネル行列Ｈを分解し、未量子化プリコーディング行列を取得するための方法は、第１の方法における方法と同じであってよく、詳細はここでは再び説明されない。
【０１７４】
第４の方法では、段階Ｓ３０４において、未量子化プリコーディング行列を記述するために用いられるチャネル情報を生成する場合、第１のデバイス１０１は、未量子化プリコーディング行列における各要素の位相情報のみを、未量子化プリコーディング行列のチャネル情報として用いられる。
【０１７５】
生成された未量子化プリコーディング行列における各要素の振幅情報について、第１のデバイス１０１はまず、振幅情報を量子化し、量子化振幅情報を生成する。
【０１７６】
段階Ｓ３０５および段階Ｓ３０６において、第１のデバイス１０１は、生成された未量子化プリコーディング行列における各要素の位相情報をＺＣシーケンスに追加し、当該ＺＣシーケンスを第２のデバイス１０２へ送信する。
【０１７７】
加えて、第２のデバイス１０２にプリコーディング行列を生成させるために、第１のデバイス１０１はさらに、量子化振幅情報を第２のデバイス１０２へ送信する必要がある。任意選択的に、振幅情報は、第２のデバイス１０２へ送信される予定のＺＣシーケンスに追加されてもよい。
【０１７８】
段階Ｓ３０７において、第２のデバイス１０２は、位相情報を保持しているＺＣシーケンスから位相情報を取得する。加えて、第２のデバイス１０２はさらに、量子化振幅情報を取得する必要がある。例えば、第１のデバイス１０１が量子化振幅情報をＺＣシーケンスに追加し、量子化振幅情報を第２のデバイス１０２へ送信した場合、第２のデバイス１０２は、ＺＣシーケンスから量子化振幅情報を取得し得る。
【０１７９】
段階Ｓ３０８において、第２のデバイス１０２は、未量子化プリコーディング行列における各要素の位相情報と、未量子化プリコーディング行列における各要素の量子化振幅情報とに基づき、プリコーディング行列を生成する。
【０１８０】
未量子化プリコーディング行列Ｂは、以下の式であると仮定する。
【数１２】
2019510415.tif 000015
【０１８１】
第４の方法において、振幅情報ａｍ，ｎは、量子化され、そして伝送される必要があり、位相情報Φｍ，ｎは依然として未量子化アナログパラメータに基づき、伝送される。
【０１８２】
例えば、以下の式である。
【数１３】
2019510415.tif 000016
【０１８３】
振幅量子化が実行されたが、位相量子化が実行されていないプリコーディング行列は、以下の式である。
【数１４】
2019510415.tif 000017
【０１８４】
未量子化プリコーディング行列を記述するために用いられるチャネル情報の情報ビットの数は、第４の方法を用いることにより、効果的に低減できる。量子化誤差が存在するが、第２のデバイス１０２は依然として、量子化間隔を適切に設定することにより比較的精確なプリコーディング行列を取得できる。
【０１８５】
図７は、本発明の実施形態に係る第２のチャネル情報報告解決手段のプロシージャを示す。図７において示されているように、プロシージャは、以下の段階を含む。
【０１８６】
Ｓ７０１：第２のデバイス１０２が、参照信号を第１のデバイス１０１へ送信し、ここで、参照信号は、第２のデバイス１０２から第１のデバイス１０１までのチャネルに対してチャネル推定を実行するために用いられる。
【０１８７】
任意選択的に、第２のデバイス１０２がＬＴＥシステムにおける基地局だえり、第１のデバイス１０１がＬＴＥシステムにおけるユーザ機器である場合、参照信号は、ＤＭＲＳであってよい。
【０１８８】
Ｓ７０２：第１のデバイス１０１が、参照信号に基づき、チャネル推定を実行し、チャネル行列Ｈを取得する。
【０１８９】
Ｓ７０３：第１のデバイス１０１は、チャネル行列Ｈを記述するために用いられるチャネル情報を生成する。
【０１９０】
Ｓ７０４：第１のデバイス１０１が、生成されたチャネル情報をＺＣシーケンスに追加する。
【０１９１】
Ｓ７０５：第１のデバイス１０１が、チャネル情報を保持しているＺＣシーケンスを第２のデバイス１０２へ送信する。
【０１９２】
ＺＣシーケンスは単に例である。第２のデバイス１０２がチャネル情報を取得できる限り、チャネル情報は、送信のための別のシーケンスにおいて保持されてもよい。
【０１９３】
チャネル情報を、ＺＣシーケンスなどのシーケンスに追加する方式は実際に、物理層上の送信方式である。実際に、チャネル情報は、媒体アクセス制御（Ｍｅｄｉｕｍ  Ａｃｃｅｓｓ  Ｃｏｎｔｒｏｌ、ＭＡＣ）シグナリング、または、より高次のレイヤシグナリング、例えば、無線リソース制御（Ｒａｄｉｏ  Ｒｅｓｏｕｒｃｅ  Ｃｏｎｔｒｏｌ、ＲＲＣ）シグナリングを用いることにより、伝送されてもよい。
【０１９４】
Ｓ７０６：第２のデバイス１０２が、チャネル情報を保持している受信されたＺＣシーケンスからチャネル情報を取得する。
【０１９５】
Ｓ７０７：第２のデバイス１０２が、取得されたチャネル情報に基づき、チャネル行列Ｈを生成し、生成されたチャネル行列Ｈに基づき、未量子化プリコーディング行列を生成し、かつ、生成された未量子化プリコーディング行列に基づき、データを第１のデバイス１０１へ送信するときに用いられる送信方式を決定する。第２のデバイス１０２により、生成された未量子化プリコーディング行列に基づき、データ送信方式を決定するための方法について、基地局により、量子化プリコーディング行列に基づき、データ送信方式を決定するための現在の方法を参照されたいが、本発明の本実施形態においては、より高い精度を有する未量子化プリコーディング行列に基づく。
【０１９６】
Ｓ７０８：第２のデバイス１０２が、決定された送信方式を用いることにより、データを第１のデバイス１０１へ送信する。
【０１９７】
図７において示されているプロシージャにおいて、第２のデバイス１０２は、チャネル行列Ｈを記述するために用いられるチャネル情報を送信する。従って、量子化プリコーディング行列が送信された場合の量子化誤差が回避され、これにより、第１のデバイス１０１により取得されるチャネル情報はより正確となり、それにより、リンクの適応的性能を効果的に向上させる。
【０１９８】
図７において示されているプロシージャにおけるチャネル行列Ｈを記述するために用いられるチャネル情報のための生成方法および送信方式を以下において詳細に説明する。
【０１９９】
段階Ｓ７０３において、第１のデバイス１０１は、チャネル行列Ｈの各列ベクトルが重み付けされた和として表されるときに用いられる重み係数を、チャネル行列Ｈを記述するために用いられるチャネル情報として用いる。
【０２００】
第１のデバイス１０１および第２のデバイス１０２は、各用いられる基底ベクトルを予め定め、例えば、Ｐ個の基底ベクトル
【数１５】
2019510415.tif 000018
が用いられることを予め定める必要がある。  Ｐは、正の整数である。  第１のデバイス１０１は、取得されたチャネル行列Ｈの各列ベクトルを、Ｐ個の基底ベクトルの重み付けされた和として表してよい：
【数１６】
2019510415.tif 000019
【０２０１】
チャネル行列Ｈの列数がＣである。このように、チャネル行列Ｈを記述するために用いられるチャネル情報は、Ｃ＊Ｐ個の重み係数を含む。
【０２０２】
Ｃ＊Ｐ個の重み係数は、図３において示されているプロシージャにおける第１の方法において提供されている方法を用いることにより、ＺＣシーケンスに変調されてもよい。第１のデバイス１０１は、方法において提供されている方式を用いることにより、ＺＣシーケンスからＣ＊Ｐ個の重み係数を取得してもよい。
【０２０３】
任意選択的に、離散フーリエ変換（Ｄｉｓｃｒｅｔｅ  Ｆｏｕｒｉｅｒ  Ｔｒａｎｓｆｏｒｍ、ＤＦＴ）線状結合方式を用いるときに用いられるＰ個の基底ベクトルは、以下の式を用いることにより、示されてよく、Ｍは、行列Ｂの行数である。
【数１７】
2019510415.tif 000020
【０２０４】
離散コサイン変換（Ｄｉｓｃｒｅｔｅ  Ｃｏｓｉｎｅ  Ｔｒａｎｓｆｏｒｍ、ＤＦＴ）線状結合方式を用いるときに用いられるＰ個の基底ベクトルは、以下の式を用いることにより示されてよく、Ｍは、チャネル行列Ｈの行であり、すなわち、第１のデバイス１０１の伝送ポートの数である：
【数１８】
2019510415.tif 000021
【０２０５】
Ｐは、最大直交ベースの数を示し、最大直交ベースの数は、基底ベクトルの数より大きくならない。
【０２０６】
段階Ｓ７０７において、チャネル情報を受信した後に、第２のデバイス１０２は、段階Ｓ７０２およびＳ７０３の方式と逆の方式を用いることにより、チャネル行列を生成してよく、例えば、第２のデバイス１０２は、受信されたチャネル情報と、第２のデバイス１０２および第１のデバイス１０１が、用いることを予め定めた基底ベクトルとに基づき、チャネル行列の各列ベクトルを生成し、そして、各列ベクトルをチャネル行列Ｈに組み合わせる。
【０２０７】
図３および図７において示されているプロシージャにおいて、チャネル情報を第２のデバイス１０２へ送信する場合、第１のデバイス１０１はさらに、量子化ＣＱＩおよび／または量子化ＲＩを同時に送信する。
【０２０８】
図８は、本発明の実施形態に係る第１種の第１のデバイスの概略構造図である。図面において示されているように、デバイスは、第２のデバイスから参照信号を受信するよう構成されう受信モジュール８０１と、参照信号に基づき、チャネル推定を実行してチャネル行列を取得し、チャネル行列を分解して未量子化プリコーディング行列を取得し、かつ、未量子化プリコーディング行列を記述するために用いられるチャネル情報を生成するよう構成される処理モジュール８０２と、未量子化プリコーディング行列を記述するために用いられるチャネル情報を第２のデバイスへ送信するよう構成される送信モジュール８０３とを備える。
【０２０９】
任意選択的に、処理モジュール８０２は具体的に、チャネル行列に対して特異値分解ＳＶＤを実行し、分解後の対角行列およびチャネル行列の固有ベクトルを含む行列を取得し、対角行列に基づき、チャネル行列のランクを決定し、かつ、ダウンリンクチャネル行列のランクに基づき、チャネル行列の固有ベクトルを含む行列を変換して未量子化プリコーディング行列を取得するよう構成される。
【０２１０】
未量子化プリコーディング行列の列数は、チャネル行列のランクに等しい。
【０２１１】
任意選択的に、処理モジュール８０２は具体的に、未量子化プリコーディング行列における各要素の振幅情報および位相情報を、未量子化プリコーディング行列を記述するために用いられるチャネル情報として用いるよう構成される。
【０２１２】
任意選択的に、送信モジュール８０３は具体的に、未量子化プリコーディング行列における各要素の振幅情報および位相情報のそれぞれを、ＺＣシーケンスに追加し、当該ＺＣシーケンスを第２のデバイスへ送信するようよう構成される。
【０２１３】
任意選択的に、送信モジュール８０３は具体的に、未量子化プリコーディング行列における各要素の振幅情報および位相情報における振幅情報および位相情報をＺＣシーケンスに交互に追加し、当該ＺＣシーケンスを第２のデバイスへ送信するか、または、まず、未量子化プリコーディング行列における各要素の振幅情報をＺＣシーケンスに追加し、当該ＺＣシーケンスを第２のデバイスへ送信し、そして、各要素の位相情報をＺＣシーケンスへ追加し、次に当該ＺＣシーケンスを第２のデバイスへ送信するか、または、まず、未量子化プリコーディング行列における各要素の位相情報をＺＣシーケンスに追加し、当該ＺＣシーケンスを第２のデバイスへ送信し、そして、各要素の振幅情報をＺＣシーケンスに追加し、次に当該ＺＣシーケンスを第２のデバイスへ送信するよう構成される。
【０２１４】
任意選択的に、送信モジュール８０３は具体的に、未量子化プリコーディング行列における複数の要素の振幅情報に対して符号分割を実行し、振幅情報をＺＣシーケンスに追加し、当該ＺＣシーケンスを第２のデバイスへ送信するよう構成される。
【０２１５】
任意選択的に、処理モジュール８０２は具体的に、未量子化プリコーディング行列における各要素の位相情報を、未量子化プリコーディング行列を記述するために用いられるチャネル情報として用いるよう構成される。
【０２１６】
任意選択的に、処理モジュール８０２はさらに、未量子化プリコーディング行列における各要素の振幅情報を量子化し、量子化振幅情報を生成するよう構成される。
【０２１７】
送信モジュール８０３はさらに、未量子化プリコーディング行列における各要素の量子化振幅情報を第２のデバイスへ送信するよう構成される。
【０２１８】
任意選択的に、処理モジュール８０２は具体的に、未量子化プリコーディング行列の各列ベクトルを、複数の基底ベクトルの重み付けされた和として表し、かつ、未量子化プリコーディング行列の各列ベクトルが重み付けされた和として表されるときに用いられる重み係数を、未量子化プリコーディング行列を記述するために用いられるチャネル情報として用いよう構成される。
【０２１９】
任意選択的に、送信モジュール８０３は具体的に、未量子化プリコーディング行列の各列ベクトルが重み付けされた和として表されるときに用いられる重み係数をＺＣシーケンスに追加し、当該ＺＣシーケンスを第２のデバイスへ送信するよう構成される。
【０２２０】
任意選択的に、処理モジュール８０２は具体的に、Ｇｉｖｅｎｓ分解方式を用いることにより、未量子化プリコーディング行列を、乗算された複数の分解行列として表すことであって、ここで、各分解行列における各要素の振幅値が１である、表すことと、複数の分解行列のそれぞれにおける各要素の位相情報を、未量子化プリコーディング行列を記述するために用いられるチャネル情報を用いることとを行うよう構成される。
【０２２１】
任意選択的に、送信モジュール８０３は具体的に、複数の分解行列のそれぞれにおける各要素の位相情報をＺＣシーケンスに追加し、当該ＺＣシーケンスを第２のデバイスへ送信するよう構成される。
【０２２２】
任意選択的に、送信モジュール８０３はさらに、未量子化プリコーディング行列を記述するために用いられるチャネル情報を送信するときに占有される物理リソースブロックペアＰＲＢペア上の各タイムスロットの第１の直交周波数分割多重ＯＦＤＭシンボル上で、ＰＲＢペア上で送信された、未量子化プリコーディング行列を記述するために用いられるチャネル情報を復調するために用いられる復調参照信号を送信するか、または、未量子化プリコーディング行列を記述するために用いられるチャネル情報を送信するときに占有されるＰＲＢペア上の各タイムスロットの第４のＯＦＤＭシンボル上で、タイムスロットにおいて送信された、未量子化プリコーディング行列を記述するために用いられるチャネル情報を復調するために用いられる復調参照信号を送信するか、または、未量子化プリコーディング行列を記述するために用いられるチャネル情報を送信するときに占有されるＰＲＢペア上の各タイムスロットの第２のＯＦＤＭシンボルおよび第６のＯＦＤＭシンボル上で、タイムスロットにおいて送信された、未量子化プリコーディング行列を記述するために用いられるチャネル情報を復調するために用いられる復調参照信号を送信するよう構成される。
【０２２３】
任意選択的に、送信モジュール８０３は具体的に、未量子化のプリコーディング行列を記述するために用いられるチャネル情報を、量子化チャネル品質インジケータＣＱＩおよび／または量子化ランク指標ＲＩと共に、同じチャネル状態インジケーションＣＳＩ処理において、第２のデバイスへ送信するよう構成される。
【０２２４】
第１のデバイスの別の任意選択的な実装方式について、図３において示されているプロシージャにおける第１のデバイス１０１の実装方式を参照されたい。受信モジュール８０１は、例えば、第２のデバイス１０２により送信される参照信号およびデータを受信するなどの第１のデバイス１０１の受信動作を実装するよう構成される。処理モジュール８０２は、例えば、チャネル行列を生成し、未量子化プリコーディング行列を生成し、かつ未量子化プリコーディング行列を記述するために用いられるチャネル情報を生成するなどの第１のデバイス１０１の処理動作を実装するよう構成される。送信モジュール８０３は、例えば、チャネル情報を送信するなどの第１のデバイス１０１の送信動作を実装するよう構成される。
【０２２５】
図９は、本発明の実施形態に係る第２種の第１のデバイスの概略構造図である。図面において示されているように、デバイスは、参照信号を第２のデバイスから受信するよう構成される受信機９０１と、参照信号に基づき、チャネル推定を実行してチャネル行列を取得し、チャネル行列を分解して未量子化プリコーディング行列を取得し、かつ、未量子化プリコーディング行列を記述するために用いられるチャネル情報を生成するよう構成されるプロセッサ９０２と、未量子化プリコーディング行列を記述するために用いられるチャネル情報を第２のデバイスへ送信するよう構成されるトランスミッタ９０３とを備える。
【０２２６】
受信機９０１の実装方式について、受信モジュール８０１を参照されたい。プロセッサ９０２の実装方式について、処理モジュール８０２を参照されたい。トランスミッタ９０３の実装方式について、送信モジュール８０３を参照されたい。デバイスの別の任意選択的な実装方式について、図３において示されているプロシージャにおける第１のデバイス１０１の実装方式を参照されたい。
【０２２７】
図１０は、本発明の実施形態に係る第１種の第２のデバイスの概略構造図である。図面において示されているように、デバイスは、参照信号を第１のデバイスへ送信するよう構成される送信モジュール１００３と、未量子化プリコーディング行列を記述するために用いられるチャネル情報を第１のデバイスから受信するよう構成される受信モジュール１００１であって、未量子化プリコーディング行列は、参照信号に基づき、実行されたチャネル推定によって取得されたチャネル行列が分解された後に取得される行列である、受信モジュール１００１と、未量子化プリコーディング行列を記述するために用いられるチャネル情報に基づき、プリコーディング行列を生成し、生成されたプリコーディング行列に基づき、データを第１のデバイスへ送信するよう構成される処理モジュール１００２とを備える。
【０２２８】
任意選択的に、未量子化プリコーディング行列は、チャネル行列に対して特異値分解ＳＶＤが実行された後に取得される行列である。
【０２２９】
未量子化プリコーディング行列を記述するために用いられるチャネル情報は、未量子化プリコーディング行列における各要素の振幅情報および位相情報を含む。
【０２３０】
処理モジュール１００２は具体的に、未量子化プリコーディング行列における各要素の振幅情報および位相情報に基づき、未量子化プリコーディング行列を生成するよう構成される。
【０２３１】
任意選択的に、受信モジュール１００１は具体的に、未量子化プリコーディング行列における各要素の振幅情報および位相情報を保持しているＺＣシーケンスを第１のデバイスから受信し、ＺＣシーケンスにおいて保持されている未量子化プリコーディング行列における各要素の振幅情報および位相情報を取得するよう構成される。
【０２３２】
任意選択的に、受信モジュール１００１は具体的に、ＺＣシーケンスにおいて交互に保持されている、未量子化プリコーディング行列における各要素の振幅情報および位相情報を受信するか、または、まず、ＺＣシーケンスにおいて保持されている、未量子化プリコーディング行列における各要素の振幅情報を受信し、そして、ＺＣシーケンスにおいて保持されている、未量子化プリコーディング行列における各要素の位相情報を受信するか、または、まず、ＺＣシーケンスにおいて保持されている、未量子化プリコーディング行列における各要素の位相情報を受信し、そして、ＺＣシーケンスにおいて保持されている、未量子化プリコーディング行列における各要素の振幅情報を受信するよう構成される。
【０２３３】
任意選択的に、受信モジュール１００１は具体的に、符号分割が実行された後に、ＺＣシーケンスにおいて保持されている、未量子化プリコーディング行列における複数の要素の振幅情報を受信するよう構成される。
【０２３４】
任意選択的に、未量子化プリコーディング行列は、チャネル行列に対してＳＶＤが実行された後に取得される行列である。
【０２３５】
未量子化プリコーディング行列を記述するために用いられるチャネル情報は、未量子化プリコーディング行列における各要素の位相情報を含む。
【０２３６】
受信モジュール１００１はさらに、処理モジュール１００２が、未量子化プリコーディング行列を記述するために用いられるチャネル情報に基づき、プリコーディング行列を生成する前に、未量子化プリコーディング行列における各要素の量子化振幅情報を第１のデバイスから受信するよう構成される。
【０２３７】
第２のデバイスの処理モジュール１００２は具体的に、未量子化プリコーディング行列における各要素の位相情報と、未量子化プリコーディング行列における各要素の量子化振幅情報とに基づき、プリコーディング行列を生成するよう構成される。
【０２３８】
任意選択的に、未量子化プリコーディング行列のチャネル情報は、未量子化プリコーディング行列の各列ベクトルが複数の基底ベクトルの重み付けされた和として表されるときに用いられる重み係数を含む。
【０２３９】
処理モジュール１００２は具体的に、重み係数に基づき、未量子化プリコーディング行列の各列ベクトルを生成し、未量子化プリコーディング行列における生成された各列ベクトルに基づき、未量子化プリコーディング行列を生成するよう構成される。
【０２４０】
任意選択的に、受信モジュール１００１は具体的に、重み係数を保持しているＺＣシーケンスを第１のデバイスから受信し、ＺＣシーケンスにおいて保持されている重み係数を取得するよう構成される。
【０２４１】
任意選択的に、未量子化プリコーディング行列は、チャネル行列に対してＳＶＤが実行された後に取得される行列である。
【０２４２】
未量子化プリコーディング行列を記述するために用いられるチャネル情報は、Ｇｉｖｅｎｓ分解方式を用いることにより、未量子化プリコーディング行列を表す乗算された複数の分解行列のそれぞれにおける各要素の位相情報を含み、ここで、各分解行列における各要素の振幅値が１である。
【０２４３】
処理モジュール１００２は具体的に、複数の分解行列のそれぞれにおける各要素の位相情報に基づき、複数の分解行列を生成し、生成された複数の分解行列を乗算し、未量子化プリコーディング行列を取得するよう構成される。
【０２４４】
任意選択的に、受信モジュール１００１は具体的に、複数の分解行列のそれぞれにおける各要素の位相情報を保持しているＺＣシーケンスを第１のデバイスから受信し、ＺＣシーケンスにおいて保持されている、複数の分解行列のそれぞれにおける各要素の位相情報を取得するよう構成される。
【０２４５】
任意選択的に、受信モジュール１００１はさらに、未量子化プリコーディング行列を記述するために用いられるチャネル情報を受信するときに占有される物理リソースブロックペアＰＲＢペア上の各タイムスロットの第１の直交周波数分割多重ＯＦＤＭシンボル上で、ＰＲＢペア上で送信される、未量子化プリコーディング行列を記述するために用いられるチャネル情報を復調するために用いられる復調参照信号を受信するか、または、未量子化プリコーディング行列を記述するために用いられるチャネル情報を受信するときに占有されるＰＲＢペア上の各タイムスロットの第４のＯＦＤＭシンボル上で、タイムスロットにおいて送信された、未量子化プリコーディング行列を記述するために用いられるチャネル情報を復調するために用いられる復調参照信号を受信するか、または、未量子化プリコーディング行列を記述するために用いられるチャネル情報を受信するときに占有されるＰＲＢペア上の各タイムスロットの第２のＯＦＤＭシンボルおよび第６のＯＦＤＭシンボル上で、タイムスロットにおいて送信された、未量子化プリコーディング行列を記述するために用いられるチャネル情報を復調するために用いられる復調参照信号を受信するよう構成される。
【０２４６】
任意選択的に、受信モジュール１００１は具体的に、同じチャネル状態インジケーションＣＳＩ処理において未量子化プリコーディング行列を記述するために用いられるチャネル情報と共に送信された量子化チャネル品質インジケータＣＱＩおよび／または量子化ランク指標ＲＩを受信するよう構成される。
【０２４７】
第２のデバイスの別の任意選択的な実装方式について、図３において示されているプロシージャにおける第２のデバイス１０２の実装方式を参照されたい。受信モジュール１００１は、例えば、第１のデバイス１０１により送信されたチャネル情報を受信するなどの第２のデバイス１０２の受信動作を実装するよう構成される。処理モジュール１００２は、例えば、プリコーディング行列を生成し、生成されたプリコーディング行列に基づき、データ送信方式を決定するなどの第２のデバイス１０２の処理動作を実装するよう構成される。送信モジュール１００３は、例えば、参照信号およびデータを送信するなどの第２のデバイス１０２の送信動作を実装するよう構成される。
【０２４８】
図１１は、本発明の実施形態に係る第２種の第２のデバイスの概略構造図である。図面において示されているように、デバイスは、参照信号を第１のデバイスへ送信するよう構成されるトランスミッタ１１０３と、未量子化プリコーディング行列を記述するために用いられるチャネル情報を第１のデバイスから受信するよう構成される受信機１１０１であって、未量子化プリコーディング行列は、参照信号に基づき実行されされたチャネル推定によって取得されたチャネル行列が分解された後に取得される行列である、受信機１１０１と、未量子化プリコーディング行列を記述するために用いられるチャネル情報に基づき、プリコーディング行列を生成し、生成されたプリコーディング行列に基づきデータを第１のデバイスへ送信するよう構成されるプロセッサ１１０２とを備える。
【０２４９】
受信機１１０１の実装方式について、受信モジュール１００１を参照されたい。プロセッサ１１０２の実装方式について、処理モジュール１００２を参照されたい。トランスミッタ１１０３の実装方式について、送信モジュール１００３を参照されたい。デバイスの別の任意選択的な実装方式について、図３において示されているプロシージャにおける第２のデバイス１０２の実装方式を参照されたい。
【０２５０】
図１２は、本発明の実施形態に係る第３種の第１のデバイスの概略構造図である。図面において示されているように、デバイスは、参照信号を第１のデバイスから受信するよう構成される受信モジュール１２０１と、受信モジュール１２０１により受信された参照信号に基づき、チャネル推定を実行してチャネル行列を取得し、チャネル行列を記述するために用いられるチャネル情報を生成するよう構成される処理モジュール１２０２と、チャネル行列を記述するために用いられるチャネル情報を第２のデバイスへ送信するよう構成される送信モジュール１２０３とを備える。
【０２５１】
任意選択的に、処理モジュール１２０２は具体的に、チャネル行列の各列ベクトルを、複数の基底ベクトルの重み付けされた和として表し、チャネル行列の各列ベクトルが重み付けされた和として表されるときに用いられる重み係数を、チャネル行列を記述するために用いられるチャネル情報として用いるよう構成される。
【０２５２】
任意選択的に、送信モジュール１２０３は具体的に、チャネル行列の各列ベクトルが重み付けされた和として表されるときに用いられる重み係数を第１のデバイスによりＺＣシーケンスに追加し、当該ＺＣシーケンスを第２のデバイスへ送信するよう構成される。
【０２５３】
任意選択的に、送信モジュール１２０３は具体的に、チャネル行列を記述するために用いられるチャネル情報を、量子化チャネル品質インジケータＣＱＩおよび／または量子化ランク指標ＲＩと共に、同じチャネル状態インジケーションＣＳＩ処理において、第２のデバイスへ送信するよう構成される。
【０２５４】
第１のデバイスの別の任意選択的な実装方式について、図７において示されているプロシージャにおける第１のデバイス１０１の実装方式を参照されたい。受信モジュール１２０１は、例えば、第２のデバイス１０２により送信された参照信号およびデータを受信するなどの第１のデバイス１０１の受信動作を実装するよう構成される。処理モジュール１２０２は、例えば、チャネル行列を生成し、チャネル行列を記述するために用いられるチャネル情報を生成するなどの第１のデバイス１０１の処理動作を実装するよう構成される。送信モジュール１２０３は、例えば、チャネル情報を送信するなどの第１のデバイス１０１の送信動作を実装するよう構成される。
【０２５５】
図１３は、本発明の実施形態に係る第４種の第１のデバイスの概略構造図である。図面において示されているように、デバイスは、参照信号を第１のデバイスから受信するよう構成される受信機１３０１と、受信機１３０１により受信された参照信号に基づき、チャネル推定を実行し、チャネル行列を取得し、チャネル行列を記述するために用いられるチャネル情報を生成するよう構成されるプロセッサ１３０２と、チャネル行列を記述するために用いられるチャネル情報を第２のデバイスへ送信するよう構成されるトランスミッタ１３０３とを備える。
【０２５６】
受信機１３０１の実装方式について、受信モジュール１２０１を参照されたい。プロセッサ１３０２の実装方式について、処理モジュール１２０２を参照されたい。トランスミッタ１３０３の実装方式について、送信モジュール１２０３を参照されたい。デバイスの別の任意選択的な実装方式について、図７において示されているプロシージャにおける第１のデバイス１０１の実装方式を参照されたい。
【０２５７】
図１４は、本発明の実施形態に係る第５種の第２のデバイスの概略構造図である。図面において示されているように、デバイスは、参照信号を第１のデバイスへ送信するよう構成される送信モジュール１４０３と、チャネル行列を記述するために用いられるチャネル情報を第１のデバイスから受信するよう構成される受信モジュール１４０１であって、チャネル行列は、参照信号に基づき実行されたチャネル推定によって取得される、受信モジュール１４０１と、チャネル行列を記述するために用いられるチャネル情報に基づき、チャネル行列を生成し、生成されたチャネル行列に基づき、未量子化プリコーディング行列を生成するよう構成される処理モジュール１４０２とを備える。
【０２５８】
送信モジュール１４０３は、処理モジュール１４０２により生成された未量子化プリコーディング行列に基づき、データを第１のデバイスへ送信するよう構成される。
【０２５９】
任意選択的に、チャネル行列の各列ベクトルが複数の基底ベクトルの重み付けされた和として表されるときに用いられる重み係数は、チャネル行列を記述するために用いられるチャネル情報である。
【０２６０】
任意選択的に、受信モジュール１４０１は具体的に、重み係数を保持しているＺＣシーケンスを第１のデバイスから受信し、ＺＣシーケンスにおいて保持されている重み係数を取得するよう構成される。
【０２６１】
任意選択的に、受信モジュール１４０１は具体的に、同じチャネル状態インジケーションＣＳＩ処理においてチャネル情報と共に送信された量子化チャネル品質インジケータＣＱＩおよび／または量子化ランク指標ＲＩを受信するよう構成される。
【０２６２】
第２のデバイスの別の任意選択的な実装方式について、図７において示されているプロシージャにおける第２のデバイス１０２の実装方式を参照されたい。受信モジュール１４０１は、例えば、第１のデバイス１０１により送信されたチャネル情報を受信するなどの第２のデバイス１０２の受信動作を実装するよう構成される。処理モジュール１４０２は、例えば、チャネル行列およびプリコーディング行列を生成し、生成されたプリコーディング行列に基づき、データ送信方式を決定するなどの第２のデバイス１０２の処理動作を実装するよう構成される。送信モジュール１４０３は、例えば、参照信号およびデータを送信するなどの第２のデバイス１０２の送信動作を実装するよう構成される。
【０２６３】
図１５は、本発明の実施形態に係る第６種の第２のデバイスの概略構造図である。図面において示されているように、デバイスは、参照信号を第１のデバイスへ送信するよう構成されるトランスミッタ１５０３と、チャネル行列を記述するために用いられるチャネル情報を第１のデバイスから受信するよう構成される受信機１５０１であって、チャネル行列は、参照信号に基づき実行されたチャネル推定によって取得される、受信機１５０１と、チャネル行列を記述するために用いられるチャネル情報に基づき、チャネル行列を生成し、生成されたチャネル行列に基づき、未量子化プリコーディング行列を生成するよう構成されるプロセッサ１５０２とを備える。
【０２６４】
トランスミッタ１５０３は、プロセッサ１５０２により生成された未量子化プリコーディング行列に基づき、データを第１のデバイスへ送信するよう構成される。
【０２６５】
受信機１５０１の実装方式について、受信モジュール１４０１を参照されたい。プロセッサ１５０２の実装方式について、処理モジュール１４０２を参照されたい。トランスミッタ１５０３の実装方式について、送信モジュール１４０３を参照されたい。デバイスの別の任意選択的な実装方式について、図７において示されているプロシージャにおける第２のデバイス１０２の実装方式を参照されたい。
【０２６６】
当業者は、本発明の実施形態が、方法、システム、またはコンピュータプログラム製品として提供され得ることを理解すべきである。従って、本発明は、ハードウェアのみの実施形態、ソフトウェアのみの実施形態、またはソフトウェアおよびハードウェアの組み合わせの実施形態の形式を用いてよい。さらに、本発明は、コンピュータ利用可能プログラムコードを含む（磁気ディスクストレージ、ＣＤ−ＲＯＭ、光メモリなどを含むが、それらに限定されない）１つ又は複数のコンピュータ利用可能記憶媒体上で実装されるコンピュータプログラム製品の形式を用いてよい。
【０２６７】
本発明は、本発明の実施形態に係る方法、デバイス（システム）、およびコンピュータプログラム製品のフローチャートおよび／またはブロック図を参照して説明される。コンピュータプログラム命令は、フローチャートおよび／またはブロック図における各処理および／または各ブロック、およびフローチャートおよび／またはブロック図における処理および／またはブロックの組み合わせを実装するために用いられてよいことが、理解されるべきである。これらのコンピュータプログラム命令は、機器を生成するべく、汎用コンピュータ、特殊用途向けコンピュータ、組込型プロセッサ、または任意の他のプログラム可能なデータ処理デバイスのプロセッサのために提供されてよく、これにより、コンピュータまたは任意の他のプログラム可能なデータ処理デバイスのプロセッサにより実行される命令は、フローチャートにおける１つ又は複数の処理および／またはブロック図における１つ又は複数のブロックにおける指定の機能を実装するための装置を生成する。
【０２６８】
これらのコンピュータプログラム命令は、コンピュータまたは任意の他のプログラム可能なデータ処理デバイスに、特定の方式で作動するよう命令できるコンピュータ可読メモリにおいて記憶されてよく、これにより、コンピュータ可読メモリにおいて記憶されている命令は、命令装置を含むアーティファクトを生成する。命令装置は、フローチャートにおける１つ又は複数の処理および／またはブロック図における１つ又は複数のブロックにおいて指定の機能を実装する。
【０２６９】
これらのコンピュータプログラム命令は、コンピュータまたは別のプログラム可能なデータ処理デバイスに取り込まれてよく、これにより、一連の動作および段階が当該コンピュータまたは別のプログラム可能なデバイス上で実行され、それにより、コンピュータ実装処理を生成する。従って、コンピュータまたは別のプログラム可能なデバイス上で実行される命令は、フローチャートにおける１つ又は複数の処理および／またはブロック図における１つ又は複数のブロックにおける指定の機能を実装するための段階を提供する。
【０２７０】
本発明のいくつかの好ましい実施形態が説明されているが、当業者が基本な発明の概念を一度認識すれば、当業者はこれらの実施形態に対して変更および修正を行うことができる。従って、以下の特許請求の範囲は、好ましい実施形態ならびに本発明の範囲内に含まれる全ての変更および修正を包含するものとして解釈されることが意図される。
【０２７１】
明らかに、当業者は、本発明の実施形態の精神および範囲から逸脱することなく、本発明の実施形態に対して様々な修正および変形を行うことができる。本発明は、これらの修正および変形が以下の特許請求の範囲およびそれらの同等の技術により定義される保護の範囲内に含まれる限り、これらの修正および変形を包含すると意図される。
【図１】
2019510415.tif 000022
【図２】
2019510415.tif 000023
【図３】
2019510415.tif 000024
【図４Ａ】
2019510415.tif 000025
【図４Ｂ】
2019510415.tif 000026
【図４Ｃ】
2019510415.tif 000027
【図５】
2019510415.tif 000028
【図６】
2019510415.tif 000029
【図７】
2019510415.tif 000030
【図８】
2019510415.tif 000031
【図９】
2019510415.tif 000032
【図１０】
2019510415.tif 000033
【図１１】
2019510415.tif 000034
【図１２】
2019510415.tif 000035
【図１３】
2019510415.tif 000036
【図１４】
2019510415.tif 000037
【図１５】
2019510415.tif 000038
【手続補正書】
【提出日】平成30年10月22日(2018.10.22)
【手続補正１】
【補正対象書類名】特許請求の範囲
【補正対象項目名】全文
【補正方法】変更
【補正の内容】
【特許請求の範囲】
【請求項１】
第２のデバイスから参照信号を受信するよう構成される受信モジュールと、
前記参照信号に基づき、チャネル推定を実行してチャネル行列を取得し、前記チャネル行列を分解して未量子化プリコーディング行列を取得し、かつ、前記未量子化プリコーディング行列を記述するために用いられるチャネル情報を生成するよう構成される処理モジュールと、
前記未量子化プリコーディング行列を記述するために用いられる前記チャネル情報を、前記第２のデバイスへ送信するよう構成される送信モジュールと
を備える
第１のデバイス。
【請求項２】
前記処理モジュールは具体的に、
前記チャネル行列に対して特異値分解（ＳＶＤ）を実行し、前記特異値分解の後の対角行列および前記チャネル行列の固有ベクトルからなる行列を取得し、
前記対角行列に基づき、前記チャネル行列のランクを決定し、
前記チャネル行列の前記ランクに基づき、前記チャネル行列の前記固有ベクトルからなる前記行列を変換し、前記未量子化プリコーディング行列を取得する
よう構成され、
前記未量子化プリコーディング行列の列数は、前記チャネル行列の前記ランクに等しい、
請求項１に記載の第１のデバイス。
【請求項３】
前記処理モジュールは具体的に、
前記未量子化プリコーディング行列における各要素の振幅情報および位相情報を、前記未量子化プリコーディング行列を記述するために用いられる前記チャネル情報として用いるよう構成される、
請求項２に記載の第１のデバイス。
【請求項４】
前記送信モジュールは具体的に、
前記未量子化プリコーディング行列における各要素の前記振幅情報および前記位相情報のそれぞれを、ＺＣシーケンスに追加し、前記ＺＣシーケンスを前記第２のデバイスへ送信するよう構成される、
請求項３に記載の第１のデバイス。
【請求項５】
前記送信モジュールは具体的に、
前記未量子化プリコーディング行列における各要素の前記振幅情報および前記位相情報における前記振幅情報および前記位相情報をＺＣシーケンスに交互に追加し、前記ＺＣシーケンスを前記第２のデバイスへ送信するか、または、
まず、前記未量子化プリコーディング行列における各要素の前記振幅情報をＺＣシーケンスに追加し、前記ＺＣシーケンスを前記第２のデバイスへ送信し、そして、各要素の前記位相情報をＺＣシーケンスに追加し、次に、前記ＺＣシーケンスを前記第２のデバイスへ送信するか、または、
まず、前記未量子化プリコーディング行列における各要素の前記位相情報をＺＣシーケンスに追加し、前記ＺＣシーケンスを前記第２のデバイスへ送信し、そして、各要素の前記振幅情報をＺＣシーケンスに追加し、次に、前記ＺＣシーケンスを前記第２のデバイスへ送信するよう構成される、
請求項４に記載の第１のデバイス。
【請求項６】
参照信号を第１のデバイスへ送信するよう構成される送信モジュールと、
前記第１のデバイスから、未量子化プリコーディング行列を記述するために用いられるチャネル情報を受信するよう構成される受信モジュールであって、前記未量子化プリコーディング行列は、前記参照信号に基づいてチャネル推定によって取得されたチャネル行列が分解された後に取得される行列である、受信モジュールと、
前記未量子化プリコーディング行列を記述するために用いられる前記チャネル情報に基づき、プリコーディング行列を生成し、前記生成されたプリコーディング行列に基づき、データを前記第１のデバイスへ送信するよう構成される処理モジュールと
を備える
第２のデバイス。
【請求項７】
前記未量子化プリコーディング行列は、前記チャネル行列に対して特異値分解（ＳＶＤ）が実行された後に取得される行列であり、
前記未量子化プリコーディング行列を記述するために用いられる前記チャネル情報は、前記未量子化プリコーディング行列における各要素の振幅情報よび位相情報を含み、
前記処理モジュールは具体的に、前記未量子化プリコーディング行列における各要素の前記振幅情報および前記位相情報に基づき、前記未量子化プリコーディング行列を生成するよう構成される、
請求項６に記載の第２のデバイス。
【請求項８】
前記受信モジュールは具体的に、
前記第１のデバイスから、前記未量子化プリコーディング行列における各要素の前記振幅情報および前記位相情報を保持しているＺＣシーケンスを受信し、
前記ＺＣシーケンスにおいて保持されている前記未量子化プリコーディング行列における各要素の前記振幅情報および前記位相情報を取得するよう構成される、
請求項７に記載の第２のデバイス。
【請求項９】
前記受信モジュールは具体的に、
前記ＺＣシーケンスにおいて交互に保持されている、前記未量子化プリコーディング行列における各要素の前記振幅情報および前記位相情報を受信するか、または、
まず、ＺＣシーケンスにおいて保持されている、前記未量子化プリコーディング行列における各要素の前記振幅情報を受信し、そして、ＺＣシーケンスにおいて保持されている、前記未量子化プリコーディング行列における各要素の前記位相情報を受信するか、または、
まず、ＺＣシーケンスにおいて保持されている、前記未量子化プリコーディング行列における各要素の前記位相情報を受信し、そして、ＺＣシーケンスにおいて保持されている、前記未量子化プリコーディング行列における各要素の前記振幅情報を受信するよう構成される、
請求項８に記載の第２のデバイス。
【請求項１０】
前記受信モジュールは具体的に、符号分割が実行された後に、ＺＣシーケンスにおいて保持されている、前記未量子化プリコーディング行列における複数の要素の振幅情報を受信するよう構成される、
請求項８または９に記載の第２のデバイス。
【請求項１１】
第１のデバイスが、第２のデバイスから受信された参照信号に基づき、チャネル推定を実行し、チャネル行列を取得する段階と、
前記第１のデバイスが、前記チャネル行列を分解し、未量子化プリコーディング行列を取得する段階と、
前記第１のデバイスが、前記未量子化プリコーディング行列を記述するために用いられるチャネル情報を生成する段階と、
前記第１のデバイスが、前記未量子化プリコーディング行列を記述するために用いられる前記チャネル情報を前記第２のデバイスへ送信する段階と
を備える
チャネル情報報告方法。
【請求項１２】
前記第１のデバイスが、前記チャネル行列を分解し、未量子化プリコーディング行列を取得する前記段階は、
前記第１のデバイスが、前記チャネル行列に対して特異値分解（ＳＶＤ）を実行し、前記特異値分解の後の対角行列および前記チャネル行列の固有ベクトルからなる行列を取得する段階と、
前記第１のデバイスが、前記対角行列に基づき、前記チャネル行列のランクを決定する段階と、
前記第１のデバイスが、前記チャネル行列の前記ランクに基づき、前記チャネル行列の前記固有ベクトルからなる前記行列を変換し、前記未量子化プリコーディング行列を取得する段階とを含み、
前記未量子化プリコーディング行列の列数は、前記チャネル行列の前記ランクに等しい、
請求項１１に記載のチャネル情報報告方法。
【請求項１３】
前記第１のデバイスが、前記未量子化プリコーディング行列を記述するために用いられるチャネル情報を生成する前記段階は、
前記第１のデバイスが、前記未量子化プリコーディング行列における各要素の振幅情報および位相情報を、前記未量子化プリコーディング行列を記述するために用いられる前記チャネル情報として用いる段階を含む、
請求項１２に記載のチャネル情報報告方法。
【請求項１４】
前記第１のデバイスが、前記未量子化プリコーディング行列を記述するために用いられる前記チャネル情報を前記第２のデバイスへ送信する前記段階は、
前記第１のデバイスが、前記未量子化プリコーディング行列における各要素の前記振幅情報および前記位相情報のそれぞれを、ＺＣシーケンスに追加し、前記ＺＣシーケンスを前記第２のデバイスへ送信する段階を含む、
請求項１３に記載のチャネル情報報告方法。
【請求項１５】
前記第１のデバイスが、前記未量子化プリコーディング行列における各要素の前記振幅情報および前記位相情報のそれぞれをＺＣシーケンスに追加し、前記ＺＣシーケンスを前記第２のデバイスへ送信する前記段階は、
前記第１のデバイスが、前記未量子化プリコーディング行列における各要素の前記振幅情報および前記位相情報における前記振幅情報および前記位相情報をＺＣシーケンスに交互に追加し、前記ＺＣシーケンスを前記第２のデバイスへ送信する段階、または、
前記第１のデバイスが、まず、前記未量子化プリコーディング行列における各要素の前記振幅情報をＺＣシーケンスに追加し、前記ＺＣシーケンスを前記第２のデバイスに送信し、そして、各要素の前記位相情報をＺＣシーケンスに追加し、次に、前記ＺＣシーケンスを前記第２のデバイスへ送信する段階、または、
前記第１のデバイスが、まず、前記未量子化プリコーディング行列における各要素の前記位相情報をＺＣシーケンスに追加し、前記ＺＣシーケンスを前記第２のデバイスへ送信し、そして、各要素の前記振幅情報をＺＣシーケンスに追加し、次に、前記ＺＣシーケンスを前記第２のデバイスへ送信する段階を含む、
請求項１４に記載のチャネル情報報告方法。
【請求項１６】
第２のデバイスが、参照信号を第１のデバイスへ送信する段階と、
前記第２のデバイスが、前記第１のデバイスから、未量子化プリコーディング行列を記述するために用いられるチャネル情報を受信する段階であって、前記未量子化プリコーディング行列は、前記参照信号に基づき、チャネル推定によって取得されたチャネル行列が分解された後に取得される行列である、段階と、
前記第２のデバイスが、前記未量子化プリコーディング行列を記述するために用いられる前記チャネル情報に基づき、プリコーディング行列を生成する段階と、
前記第２のデバイスが、前記生成されたプリコーディング行列に基づき、データを前記第１のデバイスへ送信する段階と
を備える
データ送信方法。
【請求項１７】
前記未量子化プリコーディング行列は、前記チャネル行列に対して特異値分解（ＳＶＤ）が実行された後に取得された行列であり、
前記未量子化プリコーディング行列を記述するために用いられる前記チャネル情報は、前記未量子化プリコーディング行列における各要素の振幅情報および位相情報を含み、
前記第２のデバイスが、前記未量子化プリコーディング行列を記述するために用いられる前記チャネル情報に基づき、プリコーディング行列を生成する前記段階は、
前記第２のデバイスが、前記未量子化プリコーディング行列における各要素の前記振幅情報および前記位相情報に基づき、前記未量子化プリコーディング行列を生成する段階を含む、
請求項１６に記載のデータ送信方法。
【請求項１８】
前記第２のデバイスが、未量子化プリコーディング行列を記述するために用いられるチャネル情報を受信する前記段階は、
前記第２のデバイスが、前記第１のデバイスから、前記未量子化プリコーディング行列における各要素の前記振幅情報および前記位相情報を保持しているＺＣシーケンスを受信する段階と、
前記第２のデバイスが、前記ＺＣシーケンスにおいて保持されている、前記未量子化プリコーディング行列における各要素の前記振幅情報および前記位相情報を取得する段階とを含む、
請求項１７に記載のデータ送信方法。
【請求項１９】
前記第２のデバイスが、未量子化プリコーディング行列を記述するために用いられるチャネル情報を受信する前記段階は、
前記第２のデバイスが、前記ＺＣシーケンスにおいて交互に保持されている、前記未量子化プリコーディング行列における各要素の前記振幅情報および前記位相情報を受信する段階、または、
前記第２のデバイスが、まず、ＺＣシーケンスにおいて保持されている、前記未量子化プリコーディング行列における各要素の前記振幅情報を受信し、そして、ＺＣシーケンスにおいて保持されている、前記未量子化プリコーディング行列における各要素の前記位相情報を受信する段階、または、
前記第２のデバイスが、まず、ＺＣシーケンスにおいて保持されている、前記未量子化プリコーディング行列における各要素の前記位相情報を受信し、そして、ＺＣシーケンスにおいて保持されている、前記未量子化プリコーディング行列における各要素の前記振幅情報を受信する段階を含む、
請求項１８に記載のデータ送信方法。
【請求項２０】
前記第２のデバイスが、未量子化プリコーディング行列を記述するために用いられるチャネル情報を受信する前記段階は、
前記第２のデバイスが、符号分割が実行された後に、ＺＣシーケンスにおいて保持されている、前記未量子化プリコーディング行列における複数の要素の振幅情報を受信する段階を含む、
請求項１８または１９に記載のデータ送信方法。
【手続補正２】
【補正対象書類名】明細書
【補正対象項目名】０００７
【補正方法】変更
【補正の内容】
【０００７】
第１のデバイスは、未量子化プリコーディング行列を記述するために用いられるチャネル情報を送信する。従って、量子化誤差が回避され、これにより、第２のデバイスにより取得されたプリコーディング行列がより正確となり、それにより、リンクの適応的性能が効果的に向上する。
【手続補正３】
【補正対象書類名】明細書
【補正対象項目名】００７８
【補正方法】変更
【補正の内容】
【００７８】
【図１４】本発明の実施形態に係る第３種の第２のデバイスの概略構造図である。
【手続補正４】
【補正対象書類名】明細書
【補正対象項目名】００７９
【補正方法】変更
【補正の内容】
【００７９】
【図１５】本発明の実施形態に係る第４種の第２のデバイスの概略構造図である。
【手続補正５】
【補正対象書類名】明細書
【補正対象項目名】０１０４
【補正方法】変更
【補正の内容】
【０１０４】
第１のデバイス１０１と第２のデバイス１０２との間の通信の通信規格は、グローバルシステムフォーモバイルコミュニケーションズ（Ｇｌｏｂａｌ  Ｓｙｓｔｅｍ  ｆｏｒ  Ｍｏｂｉｌｅ  ｃｏｍｍｕｎｉｃａｔｉｏｎ、ＧＳＭ（登録商標））、符号分割多重接続（Ｃｏｄｅ  Ｄｉｖｉｓｉｏｎ  Ｍｕｌｔｉｐｌｅ  Ａｃｃｅｓｓ、ＣＤＭＡ）ＩＳ−９５、符号分割多重接続（Ｃｏｄｅ  Ｄｉｖｉｓｉｏｎ  Ｍｕｌｔｉｐｌｅ  Ａｃｃｅｓｓ、ＣＤＭＡ）２０００、時分割同期符号分割多重接続（Ｔｉｍｅ  Ｄｉｖｉｓｉｏｎ−Ｓｙｎｃｈｒｏｎｏｕｓ  Ｃｏｄｅ  Ｄｉｖｉｓｉｏｎ  Ｍｕｌｔｉｐｌｅ  Ａｃｃｅｓｓ、ＴＤ−ＳＣＤＭＡ）、広帯域符号分割多重接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ（登録商標））、時分割複信−ロングタームエボリューション（Ｔｉｍｅ  Ｄｉｖｉｓｉｏｎ  Ｄｕｐｌｅｘｉｎｇ−Ｌｏｎｇ  Ｔｅｒｍ  Ｅｖｏｌｕｔｉｏｎ、ＴＤＤ  ＬＴＥ）、周波数分割複信−ロングタームエボリューション（Ｆｒｅｑｕｅｎｃｙ  Ｄｉｖｉｓｉｏｎ  Ｄｕｐｌｅｘｉｎｇ−Ｌｏｎｇ  Ｔｅｒｍ  Ｅｖｏｌｕｔｉｏｎ、ＦＤＤ  ＬＴＥ）、ロングタームエボリューション−アドバンスト（Ｌｏｎｇ  Ｔｅｒｍ  Ｅｖｏｌｕｔｉｏｎ−Ａｄｖａｎｃｅｄ、ＬＴＥ−Ａｄｖａｎｃｅｄ）、パーソナルハンディフォンシステム（Ｐｅｒｓｏｎａｌ  Ｈａｎｄｙ−ｐｈｏｎｅ  Ｓｙｓｔｅｍ、ＰＨＳ）、８０２．１１シリーズプロトコルにおいて規定されたワイヤレスフィディリティ（Ｗｉｒｅｌｅｓｓ  Ｆｉｄｅｌｉｔｙ、ＷｉＦｉ（登録商標））、ワールドワイドインターオペラビリティフォーマイクロウェーブアクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、ＷｉＭａｘ）、および様々な未来の進化型無線通信システムを含んでよいが、これらに限定されない。
【手続補正６】
【補正対象書類名】明細書
【補正対象項目名】０１６４
【補正方法】変更
【補正の内容】
【０１６４】
第３の方法において、第１のデバイス１０１は、未量子化プリコーディング行列Ｂの各列ベクトルが重み付けされた和として表されるときに用いられる重み係数を、未量子化プリコーディング行列Ｂを記述するために用いられるチャネル情報として、用いる。
【手続補正７】
【補正対象書類名】明細書
【補正対象項目名】０１６９
【補正方法】変更
【補正の内容】
【０１６９】
離散コサイン変換（Ｄｉｓｃｒｅｔｅ  Ｃｏｓｉｎｅ  Ｔｒａｎｓｆｏｒｍ、ＤＣＴ）線状結合方式を用いるときに用いられるＬ個の基底ベクトルは、以下の式を用いることにより示されてよく、Ｍは、行列Ｂの行数である。
【数１１】
2019510415.tif 000039
【手続補正８】
【補正対象書類名】明細書
【補正対象項目名】０２０３
【補正方法】変更
【補正の内容】
【０２０３】
任意選択的に、離散フーリエ変換（Ｄｉｓｃｒｅｔｅ  Ｆｏｕｒｉｅｒ  Ｔｒａｎｓｆｏｒｍ、ＤＦＴ）線状結合方式を用いるときに用いられるＰ個の基底ベクトルは、以下の式を用いることにより、示されてよく、Ｍは、行列Ｈの行数である。
【数１７】
2019510415.tif 000040
【手続補正９】
【補正対象書類名】明細書
【補正対象項目名】０２０４
【補正方法】変更
【補正の内容】
【０２０４】
離散コサイン変換（Ｄｉｓｃｒｅｔｅ  Ｃｏｓｉｎｅ  Ｔｒａｎｓｆｏｒｍ、ＤＣＴ）線状結合方式を用いるときに用いられるＰ個の基底ベクトルは、以下の式を用いることにより示されてよく、Ｍは、チャネル行列Ｈの行であり、すなわち、第１のデバイス１０１の伝送ポートの数である：
【数１８】
2019510415.tif 000041
【手続補正１０】
【補正対象書類名】明細書
【補正対象項目名】０２５０
【補正方法】変更
【補正の内容】
【０２５０】
図１２は、本発明の実施形態に係る第３種の第１のデバイスの概略構造図である。図面において示されているように、デバイスは、参照信号を第２のデバイスから受信するよう構成される受信モジュール１２０１と、受信モジュール１２０１により受信された参照信号に基づき、チャネル推定を実行してチャネル行列を取得し、チャネル行列を記述するために用いられるチャネル情報を生成するよう構成される処理モジュール１２０２と、チャネル行列を記述するために用いられるチャネル情報を第２のデバイスへ送信するよう構成される送信モジュール１２０３とを備える。
【手続補正１１】
【補正対象書類名】明細書
【補正対象項目名】０２７１
【補正方法】変更
【補正の内容】
【０２７１】
明らかに、当業者は、本発明の実施形態の精神および範囲から逸脱することなく、本発明の実施形態に対して様々な修正および変形を行うことができる。本発明は、これらの修正および変形が以下の特許請求の範囲およびそれらの同等の技術により定義される保護の範囲内に含まれる限り、これらの修正および変形を包含すると意図される。
［項目１］
第２のデバイスから参照信号を受信するよう構成される受信モジュールと、
上記参照信号に基づき、チャネル推定を実行してチャネル行列を取得し、上記チャネル行列を分解して未量子化プリコーディング行列を取得し、かつ、上記未量子化プリコーディング行列を記述するために用いられるチャネル情報を生成するよう構成される処理モジュールと、
上記未量子化プリコーディング行列を記述するために用いられる上記チャネル情報を、上記第２のデバイスへ送信するよう構成される送信モジュールと
を備える
第１のデバイス。
［項目２］
上記処理モジュールは具体的に、
上記チャネル行列に対して特異値分解ＳＶＤを実行し、上記分解後の対角行列および上記チャネル行列の固有ベクトルからなる行列を取得し、
上記対角行列に基づき、上記チャネル行列のランクを決定し、
上記ダウンリンクチャネル行列の上記ランクに基づき、上記チャネル行列の上記固有ベクトルからなる上記行列を変換し、上記未量子化プリコーディング行列を取得する
よう構成され、
上記未量子化プリコーディング行列の列数は、上記チャネル行列の上記ランクに等しい、
項目１に記載の第１のデバイス。
［項目３］
上記処理モジュールは具体的に、
上記未量子化プリコーディング行列における各要素の振幅情報および位相情報を、上記未量子化プリコーディング行列を記述するために用いられる上記チャネル情報として用いるよう構成される、
項目２に記載の第１のデバイス。
［項目４］
上記送信モジュールは具体的に、
上記未量子化プリコーディング行列における各要素の上記振幅情報および上記位相情報のそれぞれを、ＺＣシーケンスに追加し、上記ＺＣシーケンスを上記第２のデバイスへ送信するよう構成される、
項目３に記載の第１のデバイス。
［項目５］
上記送信モジュールは具体的に、
上記未量子化プリコーディング行列における各要素の上記振幅情報および上記位相情報における上記振幅情報および上記位相情報をＺＣシーケンスに交互に追加し、上記ＺＣシーケンスを上記第２のデバイスへ送信するか、または、
まず、上記未量子化プリコーディング行列における各要素の上記振幅情報をＺＣシーケンスに追加し、上記ＺＣシーケンスを上記第２のデバイスへ送信し、そして、各要素の上記位相情報をＺＣシーケンスに追加し、次に、上記ＺＣシーケンスを上記第２のデバイスへ送信するか、または、
まず、上記未量子化プリコーディング行列における各要素の上記位相情報をＺＣシーケンスに追加し、上記ＺＣシーケンスを上記第２のデバイスへ送信し、そして、各要素の上記振幅情報をＺＣシーケンスに追加し、次に、上記ＺＣシーケンスを上記第２のデバイスへ送信するよう構成される、
項目４に記載の第１のデバイス。
［項目６］
上記送信モジュールは具体的に、
上記未量子化プリコーディング行列における複数の要素の振幅情報に対して符号分割を実行し、上記振幅情報をＺＣシーケンスに追加し、かつ、上記ＺＣシーケンスを上記第２のデバイスへ送信するよう構成される、
項目４または５に記載の第１のデバイス。
［項目７］
上記処理モジュールは具体的に、
上記未量子化プリコーディング行列における各要素の位相情報を、上記未量子化プリコーディング行列を記述するために用いられる上記チャネル情報として用いるよう構成される、
項目２に記載の第１のデバイス。
［項目８］
上記処理モジュールはさらに、上記未量子化プリコーディング行列における各要素の振幅情報を量子化し、量子化振幅情報を生成するよう構成され、
上記送信モジュールはさらに、上記未量子化プリコーディング行列における各要素の上記量子化振幅情報を上記第２のデバイスへ送信するよう構成される、
項目７に記載の第１のデバイス。
［項目９］
上記処理モジュールは具体的に、
上記未量子化プリコーディング行列の各列ベクトルを、複数の基底ベクトルの重み付けされた和として表し、
上記未量子化プリコーディング行列の各列ベクトルが重み付けされた和として表されるときに用いられる重み係数を、上記未量子化プリコーディング行列を記述するために用いられる上記チャネル情報として用いる
よう構成される、
項目２に記載の第１のデバイス。
［項目１０］
上記送信モジュールは具体的に、
上記未量子化プリコーディング行列の各列ベクトルが重み付けされた和として表されるときに用いられる上記重み係数をＺＣシーケンスに追加し、上記ＺＣシーケンスを上記第２のデバイスへ送信するよう構成される、
項目９に記載の第１のデバイス。
［項目１１］
上記処理モジュールは具体的に、
Ｇｉｖｅｎｓ分解方式を用いることにより、上記未量子化プリコーディング行列を、乗算された複数の分解行列として表すことであって、各分解行列における各要素の振幅値が１である、表すことと、
上記複数の分解行列のそれぞれにおける各要素の位相情報を、上記未量子化プリコーディング行列を記述するために用いられる上記チャネル情報として用いることとを行うよう構成される、
項目２に記載の第１のデバイス。
［項目１２］
上記送信モジュールは具体的に、
上記複数の分解行列のそれぞれにおける各要素の上記位相情報をＺＣシーケンスに追加し、上記ＺＣシーケンスを上記第２のデバイスへ送信するよう構成される、
項目１１に記載の第１のデバイス。
［項目１３］
上記送信モジュールはさらに、
上記未量子化プリコーディング行列を記述するために用いられる上記チャネル情報を送信するときに占有される物理リソースブロックペアＰＲＢペア上の各タイムスロットにおける上記第１の直交周波数分割多重ＯＦＤＭシンボル上で、上記ＰＲＢペア上で送信された、上記未量子化プリコーディング行列を記述するために用いられる上記チャネル情報を復調するために用いられる復調参照信号を送信するか、または、
上記未量子化プリコーディング行列を記述するために用いられる上記チャネル情報を送信するときに占有されるＰＲＢペア上の各タイムスロットにおける上記第４のＯＦＤＭシンボル上で、上記タイムスロットにおいて送信された、上記未量子化プリコーディング行列を記述するために用いられる上記チャネル情報を復調するために用いられる復調参照信号を送信するか、または、
上記未量子化プリコーディング行列を記述するために用いられる上記チャネル情報を送信するときに占有されるＰＲＢペア上の各タイムスロットにおける上記第２のＯＦＤＭシンボルおよび上記第６のＯＦＤＭシンボル上で、上記タイムスロットにおいて送信された、上記未量子化プリコーディング行列を記述するために用いられる上記チャネル情報を復調するために用いられる復調参照信号を送信するよう構成される、
項目１から１２の何れか一項に記載の第１のデバイス。
［項目１４］
上記送信モジュールは具体的に、
上記未量子化プリコーディング行列を記述するために用いられる上記チャネル情報を、量子化チャネル品質インジケータＣＱＩおよび／または量子化ランク指標ＲＩと共に、同じチャネル状態インジケーションＣＳＩ処理において、上記第２のデバイスへ送信するよう構成される、
項目１から６または９から１２の何れか一項に記載の第１のデバイス。
［項目１５］
参照信号を第１のデバイスへ送信するよう構成される送信モジュールと、
上記第１のデバイスから、未量子化プリコーディング行列を記述するために用いられるチャネル情報を受信するよう構成される受信モジュールであって、上記未量子化プリコーディング行列は、上記参照信号に基づいてチャネル推定によって取得されたチャネル行列が分解された後に取得される行列である、受信モジュールと、
上記未量子化プリコーディング行列を記述するために用いられる上記チャネル情報に基づき、プリコーディング行列を生成し、上記生成されたプリコーディング行列に基づき、データを上記第１のデバイスへ送信するよう構成される処理モジュールと
を備える
第２のデバイス。
［項目１６］
上記未量子化プリコーディング行列は、上記チャネル行列に対して特異値分解ＳＶＤが実行された後に取得される行列であり、
上記未量子化プリコーディング行列を記述するために用いられる上記チャネル情報は、上記未量子化プリコーディング行列における各要素の振幅情報よび位相情報を含み、
上記処理モジュールは具体的に、上記未量子化プリコーディング行列における各要素の上記振幅情報および上記位相情報に基づき、上記未量子化プリコーディング行列を生成するよう構成される、
項目１５に記載の第２のデバイス。
［項目１７］
上記受信モジュールは具体的に、
上記第１のデバイスから、上記未量子化プリコーディング行列における各要素の上記振幅情報および上記位相情報を保持しているＺＣシーケンスを受信し、
上記ＺＣシーケンスにおいて保持されている上記未量子化プリコーディング行列における各要素の上記振幅情報および上記位相情報を取得するよう構成される、
項目１６に記載の第２のデバイス。
［項目１８］
上記受信モジュールは具体的に、
上記ＺＣシーケンスにおいて交互に保持されている、上記未量子化プリコーディング行列における各要素の上記振幅情報および上記位相情報を受信するか、または、
まず、ＺＣシーケンスにおいて保持されている、上記未量子化プリコーディング行列における各要素の上記振幅情報を受信し、そして、ＺＣシーケンスにおいて保持されている、上記未量子化プリコーディング行列における各要素の上記位相情報を受信するか、または、
まず、ＺＣシーケンスにおいて保持されている、上記未量子化プリコーディング行列における各要素の上記位相情報を受信し、そして、ＺＣシーケンスにおいて保持されている、上記未量子化プリコーディング行列における各要素の上記振幅情報を受信するよう構成される、
項目１７に記載の第２のデバイス。
［項目１９］
上記受信モジュールは具体的に、符号分割が実行された後に、ＺＣシーケンスにおいて保持されている、上記未量子化プリコーディング行列における複数の要素の振幅情報を受信するよう構成される、
項目１７または１８に記載の第２のデバイス。
［項目２０］
上記未量子化プリコーディング行列は、上記チャネル行列に対してＳＶＤが実行された後に取得される行列であり、
上記未量子化プリコーディング行列を記述するために用いられる上記チャネル情報は、上記未量子化プリコーディング行列における各要素の位相情報を含み、
上記受信モジュールはさらに、上記処理モジュールが、上記未量子化プリコーディング行列を記述するために用いられる上記チャネル情報に基づき、上記プリコーディング行列を生成する前に、上記第１のデバイスから、上記未量子化プリコーディング行列における各要素の量子化振幅情報を受信するよう構成され、
上記第２のデバイスの上記処理モジュールは具体的に、上記未量子化プリコーディング行列における各要素の上記位相情報と、上記未量子化プリコーディング行列における各要素の上記量子化振幅情報とに基づき、上記プリコーディング行列を生成するよう構成される、
項目１５に記載の第２のデバイス。
［項目２１］
上記未量子化プリコーディング行列の上記チャネル情報は、上記未量子化プリコーディング行列の各列ベクトルが複数の基底ベクトルの重み付けされた和として表されるときに用いられる重み係数を含み、
上記処理モジュールは具体的に、
上記重み係数に基づき、上記未量子化プリコーディング行列の各列ベクトルを生成し、
上記未量子化プリコーディング行列における生成された各列ベクトルに基づき、上記未量子化プリコーディング行列を生成するよう構成される、
項目１５に記載の第２のデバイス。
［項目２２］
上記受信モジュールは具体的に、
上記第１のデバイスから、上記重み係数を保持しているＺＣシーケンスを受信し、
上記ＺＣシーケンスにおいて保持されている上記重み係数を取得するよう構成される、
項目２１に記載の第２のデバイス。
［項目２３］
上記未量子化プリコーディング行列は、上記チャネル行列に対してＳＶＤが実行された後に取得される行列であり、
上記未量子化プリコーディング行列を記述するために用いられる上記チャネル情報は、Ｇｉｖｅｎｓ分解方式を用いることにより、上記未量子化プリコーディング行列を表す乗算された複数の分解行列のそれぞれにおける各要素の位相情報を含み、各分解行列における各要素の振幅値が１であり、
上記処理モジュールは具体的に、
上記複数の分解行列のそれぞれにおける各要素の上記位相情報に基づき、上記複数の分解行列を生成し、
上記生成された複数の分解行列を乗算し、上記未量子化プリコーディング行列を取得するよう構成される、
項目１５に記載の第２のデバイス。
［項目２４］
上記受信モジュールは具体的に、
上記第１のデバイスから、上記複数の分解行列のそれぞれにおける各要素の上記位相情報を保持しているＺＣシーケンスを受信し、
上記ＺＣシーケンスにおいて保持されている、上記複数の分解行列のそれぞれにおける各要素の上記位相情報を取得するよう構成される、
項目２３に記載の第２のデバイス。
［項目２５］
上記受信モジュールはさらに、
上記未量子化プリコーディング行列を記述するために用いられる上記チャネル情報を受信するときに占有される物理リソースブロックペアＰＲＢペア上の各タイムスロットにおける上記第１の直交周波数分割多重ＯＦＤＭシンボル上で、上記ＰＲＢペア上で送信された、上記未量子化プリコーディング行列を記述するために用いられる上記チャネル情報を復調するために用いられる復調参照信号を受信するか、または、
上記未量子化プリコーディング行列を記述するために用いられる上記チャネル情報を受信するときに占有されるＰＲＢペア上の各タイムスロットにおける上記第４のＯＦＤＭシンボル上で、上記タイムスロットにおいて送信された、上記未量子化プリコーディング行列を記述するために用いられる上記チャネル情報を復調するために用いられる復調参照信号を受信するか、または、
上記未量子化プリコーディング行列を記述するために用いられる上記チャネル情報を受信するときに占有されるＰＲＢペア上の各タイムスロットにおける上記第２のＯＦＤＭシンボルおよび上記第６のＯＦＤＭシンボル上で、上記タイムスロットにおいて送信された、上記未量子化プリコーディング行列を記述するために用いられる上記チャネル情報を復調するために用いられる復調参照信号を受信するよう構成される、
項目１５から２４の何れか一項に記載の第２のデバイス。
［項目２６］
上記受信モジュールは具体的に、
同じチャネル状態インジケーションＣＳＩ処理において上記未量子化プリコーディング行列を記述するために用いられる上記チャネル情報と共に送信された量子化チャネル品質インジケータＣＱＩおよび／または量子化ランク指標ＲＩを受信するよう構成される、
項目１５から１９または２１から２４の何れか一項に記載の第２のデバイス。
［項目２７］
第１のデバイスが、第２のデバイスから受信された参照信号に基づき、チャネル推定を実行し、チャネル行列を取得する段階と、
上記第１のデバイスが、上記チャネル行列を分解し、未量子化プリコーディング行列を取得する段階と、
上記第１のデバイスが、上記未量子化プリコーディング行列を記述するために用いられるチャネル情報を生成する段階と、
上記第１のデバイスが、上記未量子化プリコーディング行列を記述するために用いられる上記チャネル情報を上記第２のデバイスへ送信する段階と
を備える
チャネル情報報告方法。
［項目２８］
上記第１のデバイスが、上記チャネル行列を分解し、未量子化プリコーディング行列を取得する上記段階は、
上記第１のデバイスが、上記チャネル行列に対して特異値分解ＳＶＤを実行し、上記分解後の対角行列および上記チャネル行列の固有ベクトルからなる行列を取得する段階と、
上記第１のデバイスが、上記対角行列に基づき、上記チャネル行列のランクを決定する段階と、
上記第１のデバイスが、上記ダウンリンクチャネル行列の上記ランクに基づき、上記チャネル行列の上記固有ベクトルからなる上記行列を変換し、上記未量子化プリコーディング行列を取得する段階とを含み、
上記未量子化プリコーディング行列の列数は、上記チャネル行列の上記ランクに等しい、
項目２７に記載の方法。
［項目２９］
上記第１のデバイスが、上記未量子化プリコーディング行列を記述するために用いられるチャネル情報を生成する上記段階は、
上記第１のデバイスが、上記未量子化プリコーディング行列における各要素の振幅情報および位相情報を、上記未量子化プリコーディング行列を記述するために用いられる上記チャネル情報として用いる段階を含む、
項目２８に記載の方法。
［項目３０］
上記第１のデバイスが、上記未量子化プリコーディング行列を記述するために用いられる上記チャネル情報を上記第２のデバイスへ送信する上記段階は、
上記第１のデバイスが、上記未量子化プリコーディング行列における各要素の上記振幅情報および上記位相情報のそれぞれを、ＺＣシーケンスに追加し、上記ＺＣシーケンスを上記第２のデバイスへ送信する段階を含む、
項目２９に記載の方法。
［項目３１］
上記第１のデバイスが、上記未量子化プリコーディング行列における各要素の上記振幅情報および上記位相情報のそれぞれをＺＣシーケンスに追加し、上記ＺＣシーケンスを上記第２のデバイスへ送信する上記段階は、
上記第１のデバイスが、上記未量子化プリコーディング行列における各要素の上記振幅情報および上記位相情報における上記振幅情報および上記位相情報をＺＣシーケンスに交互に追加し、上記ＺＣシーケンスを上記第２のデバイスへ送信する段階、または、
上記第１のデバイスが、まず、上記未量子化プリコーディング行列における各要素の上記振幅情報をＺＣシーケンスに追加し、上記ＺＣシーケンスを上記第２のデバイスに送信し、そして、各要素の上記位相情報をＺＣシーケンスに追加し、次に、上記ＺＣシーケンスを上記第２のデバイスへ送信する段階、または、
上記第１のデバイスが、まず、上記未量子化プリコーディング行列における各要素の上記位相情報をＺＣシーケンスに追加し、上記ＺＣシーケンスを上記第２のデバイスへ送信し、そして、各要素の上記振幅情報をＺＣシーケンスに追加し、次に、上記ＺＣシーケンスを上記第２のデバイスへ送信する段階を含む、
項目３０に記載の方法。
［項目３２］
上記第１のデバイスが、上記未量子化プリコーディング行列における各要素の上記振幅情報および上記位相情報のそれぞれをＺＣシーケンスに追加し、上記ＺＣシーケンスを上記第２のデバイスへ送信する上記段階は、
上記第１のデバイスが、上記未量子化プリコーディング行列における複数の要素の振幅情報に対して符号分割を実行し、上記振幅情報をＺＣシーケンスに追加し、かつ、上記ＺＣシーケンスを上記第２のデバイスへ送信する段階を含む、
項目３０または３１に記載の方法。
［項目３３］
上記第１のデバイスが、上記未量子化プリコーディング行列を記述するために用いられるチャネル情報を生成する上記段階は、
上記第１のデバイスが、上記未量子化プリコーディング行列における各要素の位相情報を、上記未量子化プリコーディング行列を記述するために用いられる上記チャネル情報として用いる段階を含む、
項目２８に記載の方法。
［項目３４］
上記第１のデバイスが、上記未量子化プリコーディング行列における各要素の振幅情報を量子化し、量子化振幅情報を生成する段階と、
上記第１のデバイスが、上記未量子化プリコーディング行列における各要素の上記量子化振幅情報を、上記第２のデバイスへ送信する段階とをさらに備える項目３３に記載の方法。
［項目３５］
上記第１のデバイスが、上記未量子化プリコーディング行列を記述するために用いられるチャネル情報を生成する上記段階は、
上記第１のデバイスが、上記未量子化プリコーディング行列の各列ベクトルを、複数の基底ベクトルの重み付けされた和として表す段階と、
上記第１のデバイスが、上記未量子化プリコーディング行列の各列ベクトルが重み付けされた和として表されるときに用いられる重み係数を、上記未量子化プリコーディング行列を記述するために用いられる上記チャネル情報として用いる段階とを含む、
項目２８に記載の方法。
［項目３６］
上記第１のデバイスが、上記未量子化プリコーディング行列を記述するために用いられる上記チャネル情報を上記第２のデバイスへ送信する上記段階は、
上記第１のデバイスが、上記未量子化プリコーディング行列の各列ベクトルが重み付けされた和として表されるときに用いられる上記重み係数を、ＺＣシーケンスに追加し、上記ＺＣシーケンスを上記第２のデバイスへ送信する段階を含む、
項目３５に記載の方法。
［項目３７］
上記第１のデバイスが、上記未量子化プリコーディング行列を記述するために用いられるチャネル情報を生成する上記段階は、
上記第１のデバイスが、Ｇｉｖｅｎｓ分解方式を用いることにより、上記未量子化プリコーディング行列を、乗算された複数の分解行列として表す段階であって、各分解行列における各要素の振幅値が１である、段階と、
上記第１のデバイスが、上記複数の分解行列のそれぞれにおける各要素の位相情報を、上記未量子化プリコーディング行列を記述するために用いられる上記チャネル情報として用いる段階とを含む、
項目２８に記載の方法。
［項目３８］
上記第１のデバイスが、上記未量子化プリコーディング行列を記述するために用いられる上記チャネル情報を上記第２のデバイスへ送信する上記段階は、
上記第１のデバイスが、上記複数の分解行列のそれぞれにおける各要素の上記位相情報をＺＣシーケンスに追加し、上記ＺＣシーケンスを上記第２のデバイスへ送信する段階を含む、
項目３７に記載の方法。
［項目３９］
上記方法はさらに、
上記第１のデバイスが、上記未量子化プリコーディング行列を記述するために用いられる上記チャネル情報を送信するときに占有される物理リソースブロックペアＰＲＢペア上の各タイムスロットにおける上記第１の直交周波数分割多重ＯＦＤＭシンボル上で、上記ＰＲＢペア上で送信された、上記未量子化プリコーディング行列を記述するために用いられる上記チャネル情報を復調するために用いられる復調参照信号を送信する段階、または、
上記第１のデバイスが、上記未量子化プリコーディング行列を記述するために用いられる上記チャネル情報を送信するときに占有されるＰＲＢペア上の各タイムスロットにおける上記第４のＯＦＤＭシンボル上で、上記タイムスロットにおいて送信された、上記未量子化プリコーディング行列を記述するために用いられる上記チャネル情報を復調するために用いられる復調参照信号を送信する段階、または、
上記第１のデバイスが、上記未量子化プリコーディング行列を記述するために用いられる上記チャネル情報を送信するときに占有されるＰＲＢペア上の各タイムスロットにおける上記第２のＯＦＤＭシンボルおよび上記第６のＯＦＤＭシンボル上で、上記タイムスロットにおいて送信された、上記未量子化プリコーディング行列を記述するために用いられる上記チャネル情報を復調するために用いられる復調参照信号を送信する段階を備える、
項目２７から３８の何れか一項に記載の方法。
［項目４０］
上記第１のデバイスが、上記未量子化プリコーディング行列を記述するために用いられる上記チャネル情報を上記第２のデバイスへ送信する上記段階は、
上記第１のデバイスが、上記未量子化プリコーディング行列を記述するために用いられる上記チャネル情報を、量子化チャネル品質インジケータＣＱＩおよび／または量子化ランク指標ＲＩと共に、同じチャネル状態インジケーションＣＳＩ処理において、上記第２のデバイスへ送信する段階を含む、
項目２７から３２または３５から３８の何れか一項に記載の方法。
［項目４１］
第２のデバイスが、参照信号を第１のデバイスへ送信する段階と、
上記第２のデバイスが、上記第１のデバイスから、未量子化プリコーディング行列を記述するために用いられるチャネル情報を受信する段階であって、上記未量子化プリコーディング行列は、上記参照信号に基づき、チャネル推定によって取得された上記チャネル行列が分解された後に取得される行列である、段階と、
上記第２のデバイスが、上記未量子化プリコーディング行列を記述するために用いられる上記チャネル情報に基づき、プリコーディング行列を生成する段階と、
上記第２のデバイスが、上記生成されたプリコーディング行列に基づき、データを上記第１のデバイスへ送信する段階と
を備える
データ送信方法。
［項目４２］
上記未量子化プリコーディング行列は、上記チャネル行列に対して特異値分解ＳＶＤが実行された後に取得された行列であり、
上記未量子化プリコーディング行列を記述するために用いられる上記チャネル情報は、上記未量子化プリコーディング行列における各要素の振幅情報および位相情報を含み、
上記第２のデバイスが、上記未量子化プリコーディング行列を記述するために用いられる上記チャネル情報に基づき、プリコーディング行列を生成する上記段階は、
上記第２のデバイスが、上記未量子化プリコーディング行列における各要素の上記振幅情報および上記位相情報に基づき、上記未量子化プリコーディング行列を生成する段階を含む、
項目４１に記載の方法。
［項目４３］
上記第２のデバイスが、未量子化プリコーディング行列を記述するために用いられるチャネル情報を受信する上記段階は、
上記第２のデバイスが、上記第１のデバイスから、上記未量子化プリコーディング行列における各要素の上記振幅情報および上記位相情報を保持しているＺＣシーケンスを受信する段階と、
上記第２のデバイスが、上記ＺＣシーケンスにおいて保持されている、上記未量子化プリコーディング行列における各要素の上記振幅情報および上記位相情報を取得する段階とを含む、
項目４２に記載の方法。
［項目４４］
上記第２のデバイスが、未量子化プリコーディング行列を記述するために用いられるチャネル情報を受信する上記段階は、
上記第２のデバイスが、上記ＺＣシーケンスにおいて交互に保持されている、上記未量子化プリコーディング行列における各要素の上記振幅情報および上記位相情報を受信する段階、または、
上記第２のデバイスが、まず、ＺＣシーケンスにおいて保持されている、上記未量子化プリコーディング行列における各要素の上記振幅情報を受信し、そして、ＺＣシーケンスにおいて保持されている、上記未量子化プリコーディング行列における各要素の上記位相情報を受信する段階、または、
上記第２のデバイスが、まず、ＺＣシーケンスにおいて保持されている、上記未量子化プリコーディング行列における各要素の上記位相情報を受信し、そして、ＺＣシーケンスにおいて保持されている、上記未量子化プリコーディング行列における各要素の上記振幅情報を受信する段階を含む、
項目４３に記載の方法。
［項目４５］
上記第２のデバイスが、未量子化プリコーディング行列を記述するために用いられるチャネル情報を受信する上記段階は、
上記第２のデバイスが、符号分割が実行された後に、ＺＣシーケンスにおいて保持されている、上記未量子化プリコーディング行列における複数の要素の振幅情報を受信する段階を含む、
項目４３または４４に記載の方法。
［項目４６］
上記未量子化プリコーディング行列は、上記チャネル行列に対してＳＶＤが実行された後に取得される行列であり、
上記未量子化プリコーディング行列を記述するために用いられる上記チャネル情報は、上記未量子化プリコーディング行列における各要素の位相情報を含み、
上記第２のデバイスが、上記未量子化プリコーディング行列を記述するために用いられる上記チャネル情報に基づき、プリコーディング行列を生成する上記段階の前に、上記方法はさらに、
上記第２のデバイスが、上記第１のデバイスから、上記未量子化プリコーディング行列における各要素の量子化振幅情報を受信する段階を備え、
上記第２のデバイスが、上記未量子化プリコーディング行列を記述するために用いられる上記チャネル情報に基づき、プリコーディング行列を生成する上記段階は、
上記第２のデバイスが、上記未量子化プリコーディング行列における各要素の上記位相情報と、上記未量子化プリコーディング行列における各要素の上記量子化振幅情報とに基づき、上記プリコーディング行列を生成する段階を含む、
項目４１に記載の方法。
［項目４７］
上記未量子化プリコーディング行列の上記チャネル情報は、上記未量子化プリコーディング行列の各列ベクトルが複数の基底ベクトルの重み付けされた和として表されるときに用いられる重み係数を含み、
上記第２のデバイスが、上記未量子化プリコーディング行列を記述するために用いられる上記チャネル情報に基づき、プリコーディング行列を生成する上記段階は、
上記第２のデバイスが、上記受信された重み係数に基づき、上記未量子化プリコーディング行列の各列ベクトルを生成する段階と
上記第２のデバイスが、上記未量子化プリコーディング行列における生成された各列ベクトルに基づき、上記未量子化プリコーディング行列を生成する段階とを含む、
項目４１に記載の方法。
［項目４８］
上記第２のデバイスが、未量子化プリコーディング行列を記述するために用いられるチャネル情報を受信する上記段階は、
上記第２のデバイスが、上記第１のデバイスから、上記重み係数を保持しているＺＣシーケンスを受信する段階と、
上記第２のデバイスが、上記ＺＣシーケンスにおいて保持されている上記重み係数を取得する段階とを含む、
項目４７に記載の方法。
［項目４９］
上記未量子化プリコーディング行列は、上記チャネル行列に対してＳＶＤが実行された後に取得される行列であり、
上記未量子化プリコーディング行列を記述するために用いられる上記チャネル情報は、Ｇｉｖｅｎｓ分解方式を用いることにより、上記未量子化プリコーディング行列を表す乗算された複数の分解行列のそれぞれにおける各要素の位相情報を含み、各分解行列における各要素の振幅値が１であり、
上記第２のデバイスが、上記未量子化プリコーディング行列を記述するために用いられる上記チャネル情報に基づき、プリコーディング行列を生成する上記段階は、
上記第２のデバイスが、上記複数の分解行列のそれぞれにおける各要素の上記位相情報に基づき、上記複数の分解行列を生成する段階と、
上記第２のデバイスが、上記生成された複数の分解行列を乗算し、上記未量子化プリコーディング行列を取得する段階とを含む、
項目４１に記載の方法。
［項目５０］
上記第２のデバイスが、チャネル情報を受信する上記段階は、
上記第２のデバイスが、上記第１のデバイスから、上記複数の分解行列のそれぞれにおける各要素の上記位相情報を保持しているＺＣシーケンスを受信する段階と、
上記第２のデバイスが、上記ＺＣシーケンスにおいて保持されている、上記複数の分解行列のそれぞれにおける各要素の上記位相情報を取得する段階とを含む、
項目４９に記載の方法。
［項目５１］
上記方法はさらに、
上記第２のデバイスが、上記未量子化プリコーディング行列を記述するために用いられる上記チャネル情報を受信するときに占有される物理リソースブロックペアＰＲＢペア上の各タイムスロットにおける上記第１の直交周波数分割多重ＯＦＤＭシンボル上で、上記ＰＲＢペア上で送信された、上記未量子化プリコーディング行列を記述するために用いられる上記チャネル情報を復調するために用いられる復調参照信号を受信する段階、または、
上記第１のデバイスが、上記未量子化プリコーディング行列を記述するために用いられる上記チャネル情報を受信するときに占有される物理リソースブロックペアＰＲＢペア上の各タイムスロットにおける上記第４の直交周波数分割多重ＯＦＤＭシンボル上で、上記タイムスロットにおいて送信された、上記未量子化プリコーディング行列を記述するために用いられる上記チャネル情報を復調するために用いられる復調参照信号を受信する段階、または、
上記第１のデバイスが、上記未量子化プリコーディング行列を記述するために用いられる上記チャネル情報を受信するときに占有される物理リソースブロックペアＰＲＢペア上の各タイムスロットにおける上記第２の直交周波数分割多重ＯＦＤＭシンボルおよび上記第６のＯＦＤＭシンボル上で、上記タイムスロットにおいて送信された、上記未量子化プリコーディング行列を記述するために用いられる上記チャネル情報を復調するために用いられる復調参照信号を受信する段階を備える、
項目４１から５０の何れか一項に記載の方法。
［項目５２］
上記第２のデバイスが、未量子化プリコーディング行列を記述するために用いられるチャネル情報を受信する上記段階は、
上記第２のデバイスが、同じチャネル状態インジケーションＣＳＩ処理において上記未量子化プリコーディング行列を記述するために用いられる上記チャネル情報と共に送信された量子化チャネル品質インジケータＣＱＩおよび／または量子化ランク指標ＲＩを受信する段階を含む、
項目４１から４５または４７から５０の何れか一項に記載の方法。
［項目５３］
第２のデバイスであって、参照信号を第１のデバイスへ送信することと、上記第１のデバイスから、上記第１のデバイスにより、上記参照信号に基づき、チャネル推定を実行することにより取得されたチャネル行列が分解された後に取得される行列である未量子化プリコーディング行列を記述するために用いられるチャネル情報を受信することと、上記未量子化プリコーディング行列を記述するために用いられる上記チャネル情報に基づき、プリコーディング行列を生成することと、上記生成されたプリコーディング行列に基づき、データを上記第１のデバイスへ送信することとを行うよう構成される第２のデバイスと、
上記第１のデバイスであって、上記第２のデバイスから受信された上記参照信号に基づき、チャネル推定を実行して上記チャネル行列を取得し、上記チャネル行列を分解して上記未量子化プリコーディング行列を取得し、上記未量子化プリコーディング行列を記述するために用いられる上記チャネル情報を生成し、上記未量子化プリコーディング行列を記述するために用いられる上記チャネル情報を上記第２のデバイスへ送信し、上記生成されたプリコーディング行列に基づき、上記第２のデバイスにより上記第１のデバイスへ送信された上記データを受信するよう構成される上記第１のデバイスと
を備える
無線通信システム。
【国際調査報告】
2019510415.tif 000042
2019510415.tif 000043
2019510415.tif 000044
2019510415.tif 000045
2019510415.tif 000046
2019510415.tif 000047